(57)【特許請求の範囲】
【請求項１】
分離容器を用いて、試料から精子を分離する分離方法であって、
前記分離容器が、
容器本体と、区画部とを有し、
前記容器本体が、上端が開口し、かつ下端が底部である、軸方向に長尺の筒状容器であり、
前記区画部が、前記容器本体の前記軸方向に沿って形成された隔壁を有し、
前記容器本体の内部が、前記隔壁により二つ以上の室に区画され、
前記隔壁により区画されて形成された二つ以上の室の少なくとも一つが、試料導入室であり、
残りの室の少なくとも一つが、分離対象物導出室であり、
前記試料導入室および前記分離対象物導出室が、それぞれの下部で連通可能とされており、
前記試料導入室および前記分離対象物導出室が、それぞれ遠心処理液を充填可能であり、
前記分離対象物導出室には、前記開口部から採取管が挿入可能であり、前記分離対象物導出室内の前記分離対象物を、前記採取管により採取して、前記容器本体外に回収可能である分離容器であり、
下記の（Ａ）から（Ｄ）の工程を有する分離方法。
（Ａ）前記分離容器の前記試料導入室および前記分離対象物導出室の双方に、遠心処理液を充填する工程
（Ｂ）前記（Ａ）工程の前記試料導入室に、前記試料を導入する工程
（Ｃ）前記（Ｂ）工程後の前記分離容器を遠心分離に供して、前記試料から精子分離対象物を前記分離対象物導出室の下部に移動させて分離する工程
（Ｄ）前記（Ｃ）工程後の前記分離容器において、採取管を前記分離容器の前記開口部から前記分離対象物導出室に挿入し、前記分離対象物導出室内の前記精子を、前記採取管により採取して前記容器本体外に回収する工程
【請求項２】
前記遠心処理液が、密度勾配担体、培地および緩衝液からなる群から選択された少なくとも一つである、請求項１記載の分離方法。
【請求項３】
前記遠心処理液が、密度勾配担体であり、
前記（Ｂ）工程において、前記試料導入室の前記密度勾配担体の上に、前記試料を重層する、請求項１または２記載の分離方法。
【請求項４】
前記（Ｃ）工程において、前記（Ｂ）工程後の前記分離容器を遠心分離に供して、前記試料中の精子を前記試料導入室の下部に沈殿させ、
前記（Ｄ）工程において、前記（Ｃ）工程後の前記分離容器において、採取管を前記分離容器の前記開口部から前記分離対象物導出室に挿入し、前記分離対象物導出室内の前記精子を、前記採取管により採取して前記容器本体外に回収する、請求項１から３のいずれか一項に記載の分離方法。
【請求項５】
前記（Ｃ）工程において、前記（Ｂ）工程後の前記分離容器を遠心分離に供して、前記試料中の精子を前記試料導入室の下部に沈殿させ、
前記（Ｄ）工程において、前記（Ｃ）工程後の前記分離容器において、前記試料導入室の下部から前記分離対象物導出室の上部に遊泳してきた精子を採取して回収する、請求項１から３のいずれか一項に記載の分離方法。
【請求項６】
前記（Ｃ）工程において、前記遠心分離後、上清の前記遠心処理液を除去し、ついで、精子が遊泳可能な液体を前記試料導入室および分離対象物導出室の双方に充填し、
前記（Ｄ）工程において、前記（Ｃ）工程後の前記分離容器において、前記試料導入室の下部から前記分離対象物導出室の上部に遊泳してきた精子を採取して回収する、請求項５記載の分離方法。
【請求項７】
前記試料が精液であり、
前記（Ｃ）工程において、前記（Ｂ）工程後の前記分離容器を遠心分離に供して、前記試料中の精子を前記試料導入室の下部に沈殿させ、
前記（Ｄ）工程において、前記（Ｃ）工程後の前記分離容器において、採取管を前記分離容器の前記開口部から前記分離対象物導出室の下部に挿入し、前記分離対象物導出室の下部に位置する前記精子を含む精液内固形物を前記採取管により採取し、前記採取管内に前記精子を含む精液内固形物を保持した状態で、前記採取管を前記容器本体から取り出し、
さらに、下記（Ｅ）〜（Ｇ）工程を有する、請求項１から４のいずれか一項に記載の分離方法。
（Ｅ）前記（Ａ）工程の分離容器とは別に、新たに前記分離容器を使用し、前記新たな分離容器の前記試料導入室および前記分離対象物導出室の双方に、精子が遊泳可能な液体を充填する工程
（Ｆ）前記（Ｅ）工程後の前記新たな分離容器において、前記（Ｄ）工程後の前記採取管を前記新たな分離容器の前記開口部から前記試料導入室の下部に挿入し、前記採取管内の前記精子を含む精液内固形物を、前記試料導入室の下部に導出する工程
（Ｇ）前記（Ｆ）工程後の前記新たな分離容器において、前記試料導入室の下部から前記分離対象物導出室の上部に遊泳してきた精子を採取して回収する工程
【請求項８】
前記分離容器は、
前記隔壁が、前記容器本体内部の断面形状と略同一形状の平板状の隔壁であり、
前記隔壁の下部には貫通孔が形成され、
前記貫通孔により、前記試料導入室および前記分離対象物導出室が連通可能とされている、請求項１から７のいずれか一項に記載の分離方法。
【請求項９】
前記分離容器は、
前記隔壁が、前記容器本体内部の断面形状と略同一形状の平板状の隔壁であり、
前記隔壁の高さが、前記容器本体の深さよりも短く、前記隔壁の底辺よりも下側に、前記隔壁の底辺と前記容器本体の内壁とにより貫通孔が形成され、
前記貫通孔により、前記試料導入室および前記分離対象物導出室が連結可能とされている、請求項１から８のいずれか一項に記載の分離方法。
【請求項１０】
前記分離容器は、
前記隔壁が、前記容器本体内部の径方向中心よりも前記試料導入室側に偏って配置され、前記隔壁が、その長手方向の途中から前記試料導入室側に向かって傾斜した形状である、請求項１から９のいずれか一項に記載の分離方法。
【請求項１１】
前記分離容器は、
前記区画部が、さらに、隔壁固定部を有し、前記隔壁固定部により、前記隔壁が、前記容器本体内部に支持固定されている、請求項１から１０のいずれか一項に記載の分離方法。
【請求項１２】
前記分離容器は、
前記区画部が、第一の内容器を有し、
前記内容器は、軸方向に長尺の筒状であり、かつ前記容器本体内部に挿入可能な外径および高さを有し、
前記内容器の上部が開口し、前記内容器の下部が開口し、もしくは前記内容器の下部に貫通孔が形成され、
前記内容器の外周面の一部の形状が、前記容器本体の内周面の一部の形状と略同形状であり、
前記内容器の外周面のその他の部分の形状は、平面形状であり、
前記内容器の平面形状の側壁部分が、前記隔壁であり、
前記内容器の外周面と前記容器本体内周面の同形状部分が相互に接した状態で、かつ、前記内容器の平面形状の外周面と、前記容器本体の前記同形状部分以外の内周面とが、一定の距離をおいた状態で、前記内容器が前記容器本体内に配置され、
前記内容器が内容器固定部を有し、前記内容器固定部により、前記内容器が、前記容器本体内で支持固定され、
前記内容器内部の室が、前記試料導入室であり、
前記内容器の平面形状の外周面と前記容器本体の内周面の前記接した面以外の面とにより形成された室が、前記分離対象物導出室である、請求項１から７のいずれか一項に記載の分離方法。
【請求項１３】
前記分離容器は、
前記内容器の平面形状の外周面が、前記軸方向の途中から前記内容器内部に向かって傾斜した形状である、請求項１２記載の分離方法。
【請求項１４】
前記分離容器は、
前記区画部が、第二の内容器を有し、
前記内容器は、軸方向に長尺の筒状であり、かつ前記容器本体の内径より小さい外径と、前記容器本体の深さより小さい高さとを有し、
前記内容器の上部が開口し、前記内容器の下部が開口し、もしくは前記内容器の下部に貫通孔が形成され
前記内容器の側壁全体が、前記隔壁であり、
前記内容器の外周面と、前記容器本体の内周面とが、一定の距離をおいた状態で、前記内容器が前記容器本体内に配置され、
前記内容器が内容器固定部を有し、前記内容器固定部により、前記内容器が前記容器本体内で支持固定され、
前記内容器内部の室が、前記試料導入室であり、
前記内容器の外周面と前記容器本体の内周面とにより形成された室が、前記分離対象物導出室である、請求項１から７のいずれか一項に記載の分離方法。
【請求項１５】
前記（Ｃ）工程後且つ前記（Ｄ）工程前、前記分離容器における前記第一の内容器内部または第二の内容器内部の気密性を維持した状態で、前記第一の内容器または第二の内容器を前記分離容器の外部に取り出す、請求項１２から１４のいずれか一項に記載の分離方法。
【請求項１６】
前記試料導入室と前記分離容器外部とを連通可能な貫通孔を有する、請求項１から１５のいずれか一項に記載の分離方法。
【請求項１７】
前記試料導入室と前記分離容器外部とを連通可能な貫通孔および前記分離対象物導出室と前記分離容器外部とを連通可能な貫通孔の少なくとも一方を有する、請求項１から１６のいずれか一項に記載の分離方法。
【請求項１８】
前記分離容器は、
さらに、蓋部を備え、前記蓋部が、前記容器本体の上端の開口を閉塞可能である、請求項１から１７のいずれか一項に記載の分離方法。
【発明の詳細な説明】
【技術分野】
【０００１】
本発明は、分離容器、アタッチメントおよび分離方法に関する。
【背景技術】
【０００２】
不妊症では、男性側に原因があると考えられるケースが５０％以上を占めるといわれている。男性不妊症としては、例えば、造精機能障害および性機能障害があげられる。精液所見から見た男性不妊症としては、精液中の精子濃度が低い乏精子症、精液中に精子が全く存在しない無精子症、精子の運動能力が乏しい精子無力症等があげられる。これらの男性不妊症に対しては、ホルモン療法等で精子の増加を図る方法がある。精索静脈瘤等の閉塞性の疾患の場合は、精路再建術等の手術療法が適用される。これらの療法では効果が得られない場合や無精子症の場合は、人工授精法(artificial  insemination  :  AI)、体外受精法(in  vitro  fertilization  :  IVF)および顕微授精法(intracytoplasmic  sperm  injection  :  ICSI)等の生殖補助医療(Assisted  Reproductive  Technology  :  ART)が適用されている。
【０００３】
生殖補助医療に供する精子の調製方法としては、密度勾配遠心による分離法（密度勾配遠心法）、および、精子の運動性を利用した分離法（スイムアップ法）が挙げられる。前者の方法は、一般的に、パーコール（percoll）が使用される。具体的には、パーコールに精液または精巣組織を重層し、遠心分離によって密度勾配を形成し、精液もしくは精巣組織中に含まれる不純物を取り除き、成熟した精子のみを最下層に分離する方法である。この操作の過程で、精子は、洗浄および濃縮され、精子の運動率および濃度が高まる。後者の方法は、まず、精液から遠心分離により、精液のうち精子を除いた液体成分である精漿を除去し、精子を含む精液内固形物の濃度が高い状態にする。ついで、上清（精漿）を除去した後、培地の入った試験管等の容器の底部に、前記精子を含む精液内固形物を沈め、良好で高活性の精子だけが直線運動で前記培地の上部に泳いで浮かび上がってくることを利用して、成熟運動精子を得る。これらの方法では、精子を洗浄および濃縮することで、受精機会が増し、受精確率の向上に繋がるのに加え、受精の障害となる精漿や雑菌等を除去することが可能となる。
【０００４】
しかしながら、前者の密度勾配遠心法においては、遠心管の底部に沈殿した精子を、遠心管の上部の開口からピペットを挿入して採取する際、パーコールの中層付近に存在する成分がピペットに付着し、これらが精子中に混入するという問題がある。パーコールの中層付近には、精漿もしくは精巣組織成分が存在しており、場合によっては、細菌、ウイルスが存在する。精漿および精巣組織成分の混入は、精子の希釈化につながり、精子の運動性に影響を及ぼす恐れがある。また、細菌もしくはウイルスの混入は、受精卵および生まれてくる子供の安全性に影響を及ぼす恐れがあり、また、精子の調製を行う操作者の安全性にも影響を及ぼす恐れがある。また、同じ理由により、後者のスイムアップ法にも同様の影響を及ぼす恐れがある。この問題を解決するために、密度勾配遠心法に適用する精子採取用具が提案されている。
【０００５】
特許文献１には、ガラス製の遠心管の底部を細径化し、前記底部に折切りを容易にするための脆弱部が形成された採取具が開示されている。この採取具は、まず、精子を遠心分離で沈殿させた後、上部開口にスポイトゴムを装着する。そして、前記底部の前記脆弱部を折切って、前記採取具の下端を開口し、ついで、前記スポイトゴムを圧縮して前記採取具内部に陽圧を発生させ、前記下端の開口から沈殿した精子を外部に導出する。また、特許文献２には、前記採取具を改良したものであって、前記脆弱部を有する細径の底部を保護する保持具を備える採取具が開示されている。しかしながら、特許文献１および２に開示された採取具は、前記脆弱部を折切って精子を導出するため、折切りの際に生じる破断片が精子に混入する恐れがある。また、前記採取具では、折切りの操作が必要なため、操作者が操作を誤れば指等に傷を負う恐れがある。
【０００６】
特許文献３には、容器本体の中に内筒が挿入された採取具が開示されている。この採取具では、内筒の底部は開口しており、遠心分離の際には、前記開口は栓で閉塞されている。前記内筒の開口を栓で閉塞した状態で、前記容器本体と前記内筒の間にパーコールを入れ、その上に試料を重層し、遠心分離により前記容器本体の底部に精子を沈殿させる。そして、前記内筒にピペットを挿入し、前記ピペットの先端で前記栓を前記容器本体側に押して外し、前記ピペット先端を容器本体の底部に移動させ、精子を吸引して採取する。また、特許文献４には、前記採取具を改良したものであって、栓の先端形状を尖角形状にして、前記栓が前記内筒下端の開口から脱落して前記容器本体底部に落下した場合、前記栓が、脱落位置から左右のいずれかに倒れるようにしたものである。改良した採取具では、脱落させた栓に妨害されることなく、ピペットを容器本体底部に挿入可能である。しかしながら、特許文献３および４に開示された採取具では、内筒の下端開口が栓で閉塞されているが、遠心処理の際に、栓が遠心力で脱落する恐れがある。
【０００７】
特許文献５には、遠心管の中に採取管を配置した採取具が開示されている。この採取具では、遠心分離後、前記採取管にシリンジを接続し、前記遠心管の底部に沈殿した精子を吸引して採取する。しかしながら、この採取具では、前記採取管が一点で支持されているため、遠心分離時の遠心力により脱落する恐れがある。また、前記採取管の先端が前記遠心管の底部に位置しているため、遠心分離時に、前記採取管の先端によって精子が物理的損傷を受けるおそれもある。
【０００８】
特許文献６には、有底管の中に、先端および後端が開口したチューブ体が着脱可能に配置された採取具が開示されている。この採取具では、前記有底管および前記チューブ体にパーコールを充填し、内側に位置する前記チューブ体のパーコールの上に試料を重層して遠心分離し、外側に位置する前記有底管の底部に精子を沈殿させる。そして、前記チューブ体を取り外した後、ピペットで、前記有底管の底部の精子を採取する。しかしながら、この採取具では、前記チューブ体を取り外すという煩雑な操作が必要である。
【０００９】
これらの採取具の問題は、生殖補助医療における精子の調製の際の問題であるが、遠心分離により試料から分離対象物を分離する分野においても共通する問題でもある。
【特許文献１】特開２０００−２８８０８２号公報
【特許文献２】特開２００６−３０５２３７号公報
【特許文献３】特開平９−２８５７４０号公報
【特許文献４】特開２００１−４６９１５号公報
【特許文献５】特開２００４−３１３５００号公報
【特許文献６】再公表特許ＷＯ２００５／０３０３９９号公報
【発明の開示】
【発明が解決しようとする課題】
【００１０】
そこで、本発明は、不要な成分の混入を防止でき、遠心時に部材の脱落がなく、安全性に優れ、簡単な操作で試料から分離対象物を分離可能な分離容器の提供を目的とする。
【課題を解決するための手段】
【００１１】
前記目的を達成するために、本発明の分離容器は、
遠心分離により試料から分離対象物を底部に集めて分離するための分離容器であって、
容器本体と、区画部とを有し、
前記容器本体が、上端が開口し、かつ下端が底部である、軸方向に長尺の筒状容器であり、
前記区画部が、前記容器本体の前記軸方向に沿って形成された隔壁を有し、
前記容器本体の内部が、前記隔壁により二つ以上の室に区画され、
前記隔壁により区画されて形成された二つ以上の室の少なくとも一つが、試料導入室であり、
残りの室の少なくとも一つが、分離対象物導出室であり、
前記試料導入室および前記分離対象物導出室が、それぞれの下部で連通可能とされており、
前記試料導入室および前記分離対象物導出室が、それぞれ遠心処理液が充填可能であり、
前記分離対象物導出室には、前記開口部から採取管が挿入可能であり、前記分離対象物導出室内の前記分離対象物を、前記採取管により採取して、前記容器本体外に回収可能であることを特徴とする。
【発明の効果】
【００１２】
前記のように、本発明の分離容器では、前記区画部によって、容器内部が、前記試料導入室および前記分離対象物導出室の二つに区画され、かつ、前記両室は、その下部で連通可能とされている。したがって、試料を前記試料導入室に入れ、遠心分離すると、分離対象物は、前記分離容器本体の下部、すなわち、前記試料導入室および前記分離対象物導出室の双方か、少なくとも分離対象物導出室の下部に沈殿する。試料が不要成分を含む場合、前記遠心分離において、前記試料導入室では、例えば、上層もしくは中層に、前記試料由来の不要成分が存在するが、前記分離対象物導出室には、前記試料由来の不要成分が存在しない。したがって、前記分離対象物導出室に、採取管を挿入して、沈殿している分離対象物を採取して回収すれば、前記試料由来の不純物等の不要成分の混入を防止して、分離対象物を得ることができる。また、本発明の分離容器によれば、前記試料から前記分離対象物を濃縮することが可能である。本発明の分離容器を、例えば、精子の洗浄および濃縮に使用すれば、精液または精巣組織由来の不要成分や細菌等の不純物の混入を防止して、濃縮精子を得ることができる。また、本発明の分離容器は、後述のように、スイムアップ法にも適用することができる。スイムアップ法に適用する場合、まず、試料導入室に試料を導入して遠心分離すると、成熟精子は、容器本体下部、すなわち、前記試料導入室および前記分離対象物導出室の双方か、少なくとも分離対象物導出室の下部に沈殿する。前記試料導入室には、試料由来の不純物が存在するが、前記分離対象物導出室には、不純物が存在しない。成熟精子は、不純物が存在しない前記分離対象物導出室を遊泳して浮上してくるので、これを採取して回収すれば、不純物の混入を防止して成熟精子を得ることができる。そして、本発明の分離容器は、単純で強固な構造をとることが可能であるため、遠心分離の際の部材の脱落を防止でき、かつ、簡単な操作で、分離対象物を採取回収可能である。
【発明を実施するための最良の形態】
【００１３】
本発明において、「試料導入室および分離対象物導出室が連通可能とされている」とは、例えば、前記試料導入室と前記分離対象物導出室とが、その間の隔壁に形成された貫通孔等により、最初から連通されていてもよいし、前記試料導入室と前記分離対象物導出室とを、完全に隔てた状態で形成しておき、所望に応じて連通させてもよいことを意味する。後者の場合、前記試料導入室と前記分離対象物導出室とを連通させる方法は、特に制限されず、例えば、前記試料導入室と前記分離対象物導出室との間の隔壁に、ピペット等の採取管により孔を開ける方法等が挙げられる。
【００１４】
＜分離容器＞
本発明の分離容器は、前述のように、遠心分離により試料から分離対象物を底部に集めて分離するための分離容器であって、
容器本体と、区画部とを有し、
前記容器本体が、上端が開口し、かつ下端が底部である、軸方向に長尺の筒状容器であり、
前記区画部が、前記容器本体の前記軸方向に沿って形成された隔壁を有し、
前記容器本体の内部が、前記隔壁により二つ以上の室に区画され、
前記隔壁により区画されて形成された二つ以上の室の少なくとも一つが、試料導入室であり、
残りの室の少なくとも一つが、分離対象物導出室であり、
前記試料導入室および前記分離対象物導出室が、それぞれの下部で連通可能とされており、
前記試料導入室および前記分離対象物導出室が、それぞれ遠心処理液が充填可能であり、
前記分離対象物導出室には、前記開口部から採取管が挿入可能であり、前記分離対象物導出室内の前記分離対象物を、前記採取管により採取して、前記容器本体外に回収可能であることを特徴とする。
【００１５】
本発明の分離容器としては、例えば、以下に示す第一から第四の分離容器があげられる。なお、本発明の分離容器は、これらの形態には制限されない。
【００１６】
本発明の第一の分離容器は、前記容器本体の内部断面形状と略同一形状の平板状の隔壁を有する形態である。
【００１７】
本発明の第一の分離容器としては、例えば、前記隔壁が、前記容器本体の内部断面形状と略同一形状の平板状の隔壁であり、前記隔壁の下部には貫通孔が形成され、前記貫通孔により、前記試料導入室および前記分離対象物導出室が連通可能とされているという形態があげられる。
【００１８】
また、本発明の第一の分離容器は、例えば、前記隔壁の下部の貫通孔に代えて、または、これに加えて、前記隔壁の底辺と前記容器本体の内壁とにより形成された貫通孔を有する形態があげられる。すなわち、本発明の第一の分離容器としては、例えば、前記隔壁が、前記容器本体内部の断面形状と略同一形状の平板状の隔壁であり、前記隔壁の高さが、前記容器本体の深さよりも短く、前記隔壁の底辺よりも下側に、前記隔壁の底辺と前記容器本体の内壁とにより貫通孔が形成され、前記貫通孔により、前記試料導入室および前記分離対象物導出室が連結可能とされているという形態であってもよい。
【００１９】
本発明の第一の分離容器において、前記隔壁は、例えば、前記容器本体内部の径方向中心よりも前記試料導入室側に偏って配置され、前記隔壁は、その長手方向の途中から前記試料導入室側に向かって傾斜した形状であってもよい。本形態によれば、本発明の分離容器を、例えば、スイムアップ法による精子の洗浄濃縮に適用した場合、成熟精子の回収効率をさらに向上可能である。
【００２０】
本発明の第一の分離容器において、前記区画部は、さらに、隔壁固定部を有し、前記隔壁固定部により、前記隔壁が、前記容器本体内部に支持固定されていることが好ましい。前記区画部は、例えば、前記隔壁自体によって、前記容器本体内に支持固定されていてもよいが、別途、前記隔壁固定部を用いて前記隔壁を支持固定すれば、例えば、遠心分離の際の脱落をより一層防止可能となる。
【００２１】
本発明の第二の分離容器は、前記区画部が、以下に示す第一の内容器を有する形態である。
【００２２】
本発明の第二の分離容器としては、例えば、
前記区画部が、第一の内容器を有し、
前記内容器は、軸方向に長尺の筒状であり、かつ前記容器本体内部に挿入可能な外径および高さを有し、
前記内容器の上部が開口し、前記内容器の下部が開口し、もしくは前記内容器の下部に貫通孔が形成され、
前記内容器の外周面の一部の形状が、前記容器本体の内周面の一部の形状と略同形状であり、
前記内容器の外周面のその他の部分の形状は、平面形状であり、
前記内容器の平面形状の側壁部分が、前記隔壁であり、
前記内容器の外周面と前記容器本体内周面の同形状部分が相互に接した状態で、かつ、前記内容器の平面形状の外周面と、前記容器本体の前記同形状部分以外の内周面とが、一定の距離をおいた状態で、前記内容器が前記容器本体内に配置され、
前記内容器が内容器固定部を有し、前記内容器固定部により、前記内容器が、前記容器本体内で支持固定され、
前記内容器内部の室が、前記試料導入室であり、
前記内容器の平面形状の外周面と前記容器本体の内周面の前記接した面以外の面とにより形成された室が、前記分離対象物導出室であるという形態があげられる。
【００２３】
本発明の第二の分離容器において、前記内容器の平面形状の外周面は、前記軸方向の途中から前記内容器内部に向かって傾斜した形状であってもよい。本形態によれば、本発明の分離容器を、例えば、スイムアップ法による精子の洗浄濃縮に適用した場合、成熟精子の回収効率を、さらに向上可能である。
【００２４】
本発明の第三の分離容器は、前記区画部が、以下に示す第二の内容器を有する形態である。
【００２５】
本発明の第三の分離容器としては、例えば、
前記区画部が、第二の内容器を有し、
前記内容器は、軸方向に長尺の筒状であり、かつ前記容器本体の内径より小さい外径と、前記容器本体の深さより小さい高さとを有し、
前記内容器の上部が開口し、前記内容器の下部が開口し、もしくは前記内容器の下部に貫通孔が形成され
前記内容器の側壁全体が、前記隔壁であり、
前記内容器の外周面と、前記容器本体の内周面とが、一定の距離をおいた状態で、前記内容器が前記容器本体内に配置され、
前記内容器が内容器固定部を有し、前記内容器固定部により、前記内容器が前記容器本体内で支持固定され、
前記内容器内部の室が、前記試料導入室であり、
前記内容器の外周面と前記容器本体の内周面とにより形成された室が、前記分離対象物導出室であるという形態があげられる。
【００２６】
本発明の第四の分離容器は、前記区画部に代えて、以下に示す第三の内容器を有する形態である。
【００２７】
本発明の第四の分離容器としては、例えば、
前記区画部に代えて、第三の内容器を有し、
前記内容器は、軸方向に長尺の筒状であり、かつ前記容器本体内部に挿入可能な外径および高さを有し、
前記内容器の上部が開口し、前記内容器の下部が開口し、もしくは前記内容器の下部に貫通孔が形成され、
前記内容器の外周面形状が、前記容器本体の内周面形状と略同形状であり、
前記内容器は、前記容器本体内部に挿入された場合、前記内容器外周面が前記容器本体内周面に当接することにより、前記容器本体内部で支持固定され、
前記内容器は、陽圧発生部を有し、
前記陽圧発生部は、前記内容器の上部開口に着脱自在であり、
前記内容器を前記容器本体内に挿入した状態で、前記内容器内部に前記試料を導入し、前記試料中の分離対象物を、遠心分離により前記内容器の下部に移動させ、この状態で、前記内容器を前記容器本体から取り出し、前記陽圧発生により発生した圧力で、前記内容器の下部開口から、前記分離対象物を導出可能であるという形態であってもよい。
【００２８】
本発明の分離容器において、例えば、前記隔壁固定部または前記内容器固定部は、例えば、前記固定部の全体が前記容器本体内に挿入されることで、前記隔壁または前記内容器が前記容器本体内に支持固定されてもよいし、前記固定部の一部が前記容器本体内に挿入されることで、前記隔壁または前記内容器が前記容器本体内に支持固定されてもよい。
【００２９】
本発明の分離容器において、前記区画部（例えば、前記隔壁、または、前記第一、第二もしくは第三の内容器）は、例えば、それぞれ前記容器本体と一体化した形態であってもよいし、前記容器本体から着脱可能な形態であってもよい。後者の場合、前記区画部を有する部材として、後述する本発明のアタッチメントを容器本体に装着することが好ましい。
【００３０】
本発明の分離容器において、前記区画部は、さらに、把持部を有してもよい。前記把持部は、例えば、前記区画部を前記容器本体に装着した際、前記容器本体の外部に露出していることが好ましい。前述のように、前記区画部が前記容器本体から着脱可能な場合、露出した前記把持部を持つことで、前記容器本体への着脱操作がより一層容易となる。
【００３１】
本発明の分離容器は、さらに、前記容器本体の上端の開口を閉塞可能な蓋部を備えることが好ましい。このように蓋部を有することで、例えば、前記分離容器内部に充填した遠心処理液や試料等が外部に飛散すること、また、不純物が外部から前記分離容器内部に混入することを、より一層防止可能となる。
【００３２】
前記蓋部は、例えば、前記容器本体と部分的に連結された形態でもよいし、前記容器本体とは別個の部材であり、使用時に前記容器本体に装着する形態であってもよい。また、前記内容器を有する第二、第三および第四の分離容器の場合、前記蓋部は、前記形態の他に、例えば、前記内容器に装着する形態であってもよい。具体例として、前記第二および第三の分離容器の場合、前記蓋部は、例えば、内容器と部分的に連結された形態でもよいし、前記内容器とは別個の部材であり、使用時に前記内容器に装着する形態であってもよい。前記第四の分離容器の場合、例えば、前記容器本体および前記内容器とは別個の部材であり、使用時に前記内容器に装着する形態があげられる。前記蓋部の装着形態は、特に制限されず、例えば、螺合、咬合、嵌合、圧接等があげられる。
【００３３】
本発明の分離容器において、前記第一、第二および第三の内容器が、前述のように、前記容器本体に着脱可能な場合、後述するように、遠心分離後に前記内容器を前記容器本体から取り出すことが好ましい。前記内容器を取り出すことによって、前記容器本体内部に、分離対象物を回収するための採取管をより一層挿入し易くなる。これによって、前記容器本体における前記分離対象物導出室に充填する遠心処理液の量も低減可能である。この際、例えば、前記内容器内部の前記試料導入室に残存する液体（例えば、不純物を含む試料等）が、前記内容器の取り出しによって、前記内容器下部の貫通孔または開口から、前記容器本体内部の分離対象物を含む遠心処理液中に混入することを防止することが好ましい。そこで、このような方法を採用する際には、前記蓋部は、例えば、前記内容器に装着され、且つ、前記内容器上部の開口、具体的には、前記試料導入室の上部の開口が、前記蓋部との接触により実質的に塞がれていることが好ましい。このような形態であれば、前記内容器の内部は気密性が保たれるため、前記内容器下部の貫通孔または開口から、前記内容器内部の試料導入室の不純物を含有する液体が漏れることを、十分に防止できる。
【００３４】
また、本発明の分離容器は、例えば、上部に、前記試料導入室と前記分離容器外部とを連通可能な貫通孔および前記分離対象物導出室と前記分離容器外部とを連通可能な貫通孔を有してもよい。前記貫通孔は、前者および後者のいずれか一方でもよいが、両者であることが好ましい。本発明の分離容器が前記蓋部を備える場合、このような貫通孔を設けることで、例えば、遠心時における前記試料導入室内部の圧と前記分離対象物導出室内部の圧を調整可能である。また、前記貫通孔は、例えば、閉塞可能であってもよく、また、開閉程度を調整可能であってもよい。このように開閉可能とすることで、必要に応じて、適宜、前記試料導入室内部の圧と前記分離対象物導出室の圧を調整できる。例えば、前記試料導入室に充填した試料を前記試料導入室内に留める場合は、貫通孔を閉じた状態で遠心分離を行うことが好ましい。そして、遠心後、前記試料導入室の下部の貫通孔または開口部の近傍に分離対象物が残存する場合には、前記上部の貫通孔を開くことで、残存する分離対象物を前記試料導入室から前記分離対象物導出室に導出できる。他方、例えば、前記試料導入室に充填した液体の液面と、前記分離対象物導出室に充填した液体との液面とを平衡にする場合は、前記上部の貫通孔を開いた状態で遠心分離を行うことが好ましい。前記貫通孔の開閉は、例えば、手や指で行ってもよいし、前記貫通孔に開閉調整部を設け、例えば、それによって貫通孔の開口程度を調整することもできる。
【００３５】
また、本発明の分離容器が、前述のように、容器本体から露出した前記把持部を有する場合、前記把持部に前記貫通孔が設けられてもよい。そして、前述のように、遠心後、分離対象物を回収する前に、前記分離容器から前記内容器を取り出す場合には、例えば、前記試料導入室と外部とを連通可能な貫通孔を塞ぎ、前記把持部を持って前記内容器を取り出すことが好ましい。このように貫通孔を塞ぐことで前記試料導入室内部の気密性が維持されるため、前記試料導入室内部から不純物等を含む液体が漏れることを十分に防止できる。
【００３６】
前記貫通孔の大きさは、特に制限されないが、空気が通過可能であり、不純物が外部から侵入しない大きさであることが好ましい。また、前記貫通孔は、通気フィルターによって構成されてもよい。前記通気フィルターとしては、例えば、多孔性フィルターや不織布等があげられる。また、疎水性フィルターが好ましく、例えば、フッ素系樹脂等の疎水性ポリマーからなるフィルターや、前記疎水性ポリマーでコーティングされたフィルター等があげられる。
【００３７】
本発明の分離容器の用途は、特に制限されないが、例えば、試料からの精子の分離用であることが好ましい。本発明の分離容器を、試料からの精子の分離に用いる場合、その分離方法は、特に制限されず、例えば、密度勾配遠心法や、スイムアップ法等に用いることができる。本発明の分離容器を密度勾配遠心法に使用する場合、精子の分離以外にも、例えば、細胞小器官の分離、ＤＮＡまたはＲＮＡの分離、血液の特定成分（例えば、白血球）の分離等にも使用可能である。本発明の分離容器をスイムアップ法に使用する場合、例えば、前記分離対象物導出室に液体を注入し、前記分離対象物導出室の下部に沈殿して分離された精子を、前記液体中を遊泳して前記分離対象物導出室の上部に浮上させ、前記浮上した精子を採取して回収できる。本発明において、前記遠心処理液は、特に制限されず、例えば、遠心分離において容器本体内に注入される液が使用でき、具体例としては、例えば、パーコール等の密度勾配担体、培地、緩衝液等があげられる。前記培地としては、例えば、精子等の分離対象物に適した液体があげられる。また、スイムアップ法の場合、前記分離対象物導出室には、前記液体として、例えば、精子が遊泳可能な液体を注入することが好ましく、例えば、前記培地があげられる。前記培地の具体例としては、例えば、ＨＥＰＥＳを含有した液体等があげられる。
【００３８】
＜アタッチメント＞
つぎに、本発明のアタッチメントは、本発明の分離容器に使用するアタッチメントであって、
前記アタッチメントが、区画部を有し、
前記区画部が、前記容器本体の前記軸方向に沿って形成された隔壁を有し、
前記容器本体の内部が、前記隔壁により二つ以上の室に区画可能であり、
前記区画部の隔壁により区画されて形成された二つ以上の室の少なくとも一つが、試料導入室となり、
残りの室の少なくとも一つが、分離対象物導出室となり、
前記試料導入室と前記分離対象物導出室とが、それぞれの下部で連通可能とされているという構成である。
【００３９】
本発明のアタッチメントとしては、例えば、以下に示す第一から第四のアタッチメントがあげられる。なお、本発明のアタッチメントは、これらの形態には制限されない。
【００４０】
本発明の第一のアタッチメントは、前記容器本体の内部断面形状と略同一形状の平板状の隔壁を有する形態であり、本発明の第一の分離容器に使用できる。
【００４１】
本発明の第一のアタッチメントとしては、
前記隔壁が、前記容器本体内部の断面形状と略同一形状の平板状の隔壁であり、
前記隔壁の下部には貫通孔が形成され、
前記貫通孔により、前記試料導入室および前記分離対象物導出室が連通可能とされている形態があげられる。
【００４２】
また、本発明の第一のアタッチメントとしては、例えば、前記隔壁の下部の貫通孔に代えて、または、これに加えて、前記容器本体に配置された際、前記隔壁の底辺と前記容器本体の内壁とにより貫通孔が形成される形態であってもよい。すなわち、本発明の第一のアタッチメントとしては、例えば、前記隔壁が、前記容器本体内部の断面形状と略同形状の平板状の隔壁であり、
前記隔壁の高さが、前記容器本体の深さよりも短く、前記隔壁の底辺よりも下側に、前記隔壁の底辺と前記容器本体の内壁とにより貫通孔が形成され、
前記貫通孔により、前記試料導入室および前記分離対象物導出室が連結可能とされているという形態であってもよい。
【００４３】
本発明の第一のアタッチメントにおいて、前記隔壁は、前記容器本体内部の径方向中心よりも前記試料導入室側に偏って配置可能であり、前記隔壁は、その長手方向の途中から前記試料導入室側に向かって傾斜した形状であってもよい。本形態によれば、例えば、本発明のアタッチメントを使用した分離容器を、スイムアップ法による精子の洗浄濃縮に適用した場合、成熟精子の回収効率をさらに向上可能である。
【００４４】
本発明の第一のアタッチメントにおいて、前記区画部は、さらに、隔壁固定部を有し、前記隔壁固定部により、前記隔壁が、前記容器本体内部に支持固定可能であることが好ましい。前記隔壁は、例えば、前記隔壁自体によって、前記容器本体内に支持固定されていてもよいが、別途、前記隔壁固定部を用いて前記隔壁を支持固定すれば、例えば、遠心分離の際の脱落をより一層防止可能となる。
【００４５】
本発明の第二のアタッチメントは、前記区画部が、以下に示す第一の内容器を有する形態であり、本発明の第二の分離容器に使用できる。
【００４６】
本発明の第二のアタッチメントとしては、例えば、
前記区画部が、第一の内容器を有し、
前記内容器は、軸方向に長尺な筒状であり、かつ前記容器本体内部に挿入可能な外径および高さを有し、
前記内容器の上部が開口し、前記内容器の下部が開口し、もしくは前記内容器の下部に貫通孔が形成され、
前記内容器の外周面の一部の形状が、前記容器本体の内周面の一部の形状と略同形状であり、
前記内容器の外周面のその他の部分の形状は、平面形状であり、
前記内容器の平面形状の側壁部分が、前記隔壁であり、
前記内容器の外周面と前記容器本体内周面の同形状部分が相互に接した状態で、かつ、前記内容器の平面形状の外周面と、前記容器本体の前記同形状部分以外の内周面とが、一定の距離をおいた状態で、前記内容器が前記容器本体内に配置可能であり、
前記内容器が内容器固定部を有し、前記内容器固定部により、前記内容器が、前記容器本体内で支持固定可能であり、
前記内容器内部の室が、前記試料導入室となり、
前記内容器の平面形状の外周面と前記容器本体の内周面の前記接した面以外の面とにより形成された室が、前記分離対象物導出室となるという構成である。
【００４７】
本発明の第二のアタッチメントにおいて、前記内容器の平面形状の外周面が、前記軸方向の途中から前記内容器内部に向かって傾斜した形状であるという形態であってもよい。本形態によれば、本発明のアタッチメントを使用した分離容器を、例えば、スイムアップ法による精子の洗浄濃縮に適用した場合、成熟精子の回収効率をさらに向上可能である。
【００４８】
本発明の第三のアタッチメントは、前記区画部が、以下に示す第二の内容器を有する形態であり、本発明の第三の分離容器に使用できる。
【００４９】
本発明の第三のアタッチメントとしては、例えば、
前記区画部が、第二の内容器を有し、
前記内容器は、軸方向に長尺の筒状であり、かつ前記容器本体の内径より小さい外径と、前記容器本体の深さより小さい高さとを有し、
前記内容器の上部が開口し、前記内容器の下部が開口し、もしくは前記内容器の下部に貫通孔が形成され
前記内容器の側壁全体が、前記隔壁であり、
前記内容器の外周面と、前記容器本体の内周面とが、一定の距離をおいた状態で、前記内容器が前記容器本体内に配置可能であり、
前記内容器が内容器固定部を有し、前記内容器固定部により、前記内容器が前記容器本体内で支持固定可能であり、
前記内容器内部の室が、前記試料導入室となり、
前記内容器の外周面と前記容器本体の内周面とにより形成された室が、前記分離対象物導出室となるという構成である。
【００５０】
本発明の第四のアタッチメントは、前記区画部に代えて、以下に示す第三の内容器を有する形態であり、本発明の第四の分離容器に使用できる。
【００５１】
本発明の第四のアタッチメントとしては、例えば、
前記区画部に代えて、第三の内容器を有し、
前記内容器は、前記軸方向に長尺な筒状であり、かつ前記容器本体内部に挿入可能な外径および高さを有し、
前記内容器の上部が開口し、前記内容器の下部が開口し、もしくは前記内容器の下部に貫通孔が形成され、
前記内容器の外周面形状が前記容器本体の内周面形状と略同形状であり、
前記内容器は、前記容器本体内部に挿入された場合、前記内容器外周面が前記容器本体内周面に当接することにより、前記容器本体内部で支持固定可能であり、
前記内容器は、陽圧発生部を有し、
前記陽圧発生部は、前記内容器の上部開口に着脱自在であるという構成である。
【００５２】
本発明のアタッチメントは、さらに、把持部を有してもよく、前記把持部は、例えば、前記アタッチメントを前記容器本体に装着した際、前記容器本体の外部に露出していることが好ましい。露出した前記把持部を持つことで、本発明のアタッチメントの前記容器本体への着脱操作がより一層容易となる。
【００５３】
本発明のアタッチメントは、さらに、前記上端の開口を閉塞可能である蓋部を備えてもよい。このように蓋部を有することで、例えば、前記アタッチメントを装着した分離容器内部に充填した遠心処理液や試料等が外部に飛散すること、また、不純物が外部から前記分離容器内部に混入することを、より一層防止可能となる。
【００５４】
前記蓋部は、例えば、内容器と部分的に連結された形態でもよいし、前記内容器とは別個の部材であり、使用時に前記内容器に装着する形態であってもよい。前記内容器に装着する蓋部は、例えば、前記内容器への装着により、前記容器本体の上端の開口を閉塞可能であることが好ましい。前記蓋部の装着形態は、特に制限されず、例えば、螺合、咬合、嵌合、圧接等があげられる。
【００５５】
本発明のアタッチメントは、後述するように、遠心分離後、前記容器本体から取り出すことが好ましい。前記アタッチメントを取り出すことによって、前記容器本体内部に、外部から分離対象物を回収するための採取管を、より一層挿入し易くなる。また、前記容器本体における前記分離対象物導出室に充填する遠心処理液の量も低減可能である。この際、例えば、前記アタッチメント内部の前記試料導入室に残存する液体（例えば、不純物を含む試料等）が、前記アタッチメントの取り出しによって、前記アタッチメント下部の貫通孔または開口から、前記容器本体内部の分離対象物を含む遠心処理液中に混入することを防止することが好ましい。そこで、このような方法を採用する際には、前記蓋部の前記アタッチメントへの装着により、前記アタッチメント上部の開口が、前記蓋部との接触により実質的に塞がれていることが好ましい。このような形態であれば、前記アタッチメントの内部は気密性が保たれるため、前記アタッチメント下部の貫通孔または開口から、前記アタッチメント内部の試料導入室の不純物を含有する液体が漏れることを、十分に防止できる。
【００５６】
また、本発明のアタッチメントが、前述のように、容器本体から露出した前記把持部を有する場合、前記把持部に前記貫通孔が設けられてもよい。前記貫通孔としては、例えば、前記試料導入室と前記分離容器外部とを連通可能な貫通孔および前記分離対象物導出室と前記分離容器外部とを連通可能な貫通孔があげられる。前記貫通孔は、前者および後者のいずれか一方でもよいが、両者であることが好ましい。前記貫通孔については、前記本発明の分離容器についての説明と同様である。
【００５７】
本発明のアタッチメントの用途は、特に制限されないが、本発明の分離容器と同様に、試料からの精子の分離用であることが好ましい。本発明のアタッチメントを使用した分離容器を、試料からの精子の分離用に用いる場合、その分離方法は、特に制限されず、例えば、密度勾配遠心法や、スイムアップ法等に用いることができる。本発明の分離容器を密度勾配遠心法に使用する場合、精子の分離以外にも、例えば、細胞小器官の分離、ＤＮＡまたはＲＮＡの分離、血液の特定成分（例えば、白血球）の分離等にも使用可能である。本発明の分離容器をスイムアップ法に使用する場合、例えば、前記分離対象物導出室に液体を注入し、前記分離対象物導出室の下部に沈殿して分離された精子を、前記液体中を遊泳して前記分離対象物導出室の上部に浮上させ、前記浮上した精子を採取して回収できる。本発明において、前記遠心処理液ならびにスイムアップ法に使用する液体は、特に制限されず、前述と同様である。
【００５８】
＜分離方法＞
本発明の分離方法は、試料から分離対象物を分離する分離方法であって、本発明の分離容器を使用することを特徴とする。以下に、本発明の分離方法として、本発明の第一、第二、第三または第四の分離容器を使用する例にあげて説明する。
【００５９】
まず、本発明の第一の分離方法は、前述の本発明の第一、第二または第三の分離容器を使用する方法である。具体的に本発明の第一の分離方法は、下記（Ａ）から（Ｄ）の工程を有する。
（Ａ）本発明の第一、第二または第三の分離容器を使用し、前記分離容器の前記試料導入室および前記分離対象物導出室の双方に、遠心処理液を充填する工程
（Ｂ）前記（Ａ）工程の前記試料導入室に、前記試料を導入する工程
（Ｃ）前記（Ｂ）工程後の前記分離容器を遠心分離に供して、前記試料から分離対象物を前記分離対象物導出室の下部に移動させて分離する工程
（Ｄ）前記（Ｃ）工程後の前記分離容器において、採取管を前記分離容器の前記開口部から前記分離対象物導出室に挿入し、前記分離対象物導出室内の前記分離対象物を、前記採取管により採取して前記容器本体外に回収する工程
【００６０】
本発明において、前記遠心処理液は、特に制限されないが、例えば、前述と同様に、パーコール等の密度勾配担体、精子等の分離対象物に適した液体、精子が遊泳可能な液体、緩衝液等があげられる。なお、以下の他の分離方法においても同様である。
【００６１】
本発明の第一の分離方法は、例えば、密度勾配遠心法に適用することが好ましい。この場合、本発明の第一の分離方法において、前記遠心処理液は、前記密度勾配担体であることが好ましい。また、前記（Ｂ）工程において、前記試料導入室の前記密度勾配担体の上に、前記試料を重層することが好ましい。
【００６２】
本発明の第一の分離方法は、例えば、前記分離対象物として精子を試料から回収する際に適用することが好ましい。前記分離対象物が精子の場合、前記試料としては、特に制限されず、精子を含む試料があげられる。前記試料としては、例えば、精液、精巣組織またはこれらを含む試料があげられ、好ましくは精液である。
【００６３】
本発明の第一の分離方法について、精子の分離に適用する例として、第二、第三および第四の分離方法を説明する。なお、本発明は、これらの形態には制限されない。
【００６４】
本発明の第二の分離方法としては、分離対象物が精子であり、例えば、前記（Ｃ）工程および（Ｄ）工程が、下記（Ｃ２）工程および（Ｄ２）工程である形態があげられる。
（Ａ）本発明の第一、第二または第三の分離容器を使用し、前記分離容器の前記試料導入室および前記分離対象物導出室の双方に、遠心処理液を充填する工程
（Ｂ）前記（Ａ）工程の前記試料導入室に、前記試料を導入する工程
（Ｃ２）前記（Ｂ）工程後の前記分離容器を遠心分離に供して、前記試料中の精子を前記試料導入室の下部に沈殿させる工程
（Ｄ２）前記（Ｃ２）工程後の前記分離容器において、採取管を前記分離容器の前記開口部から前記分離対象物導出室に挿入し、前記分離対象物導出室内の前記精子を、前記採取管により採取して前記容器本体外に回収する工程
【００６５】
本発明の第二の分離方法は、例えば、前記密度勾配法を適用した形態である。この場合、前記遠心処理液としては、例えば、パーコール等の密度勾配担体が好ましく、前記（Ｂ）工程において、前記試料は、前記試料導入室の前記密度勾配担体の上に重層することが好ましい。
【００６６】
本発明の第三の分離方法としては、分離対象物が精子であり、例えば、前記（Ｃ）工程および（Ｄ）工程が、下記（Ｃ３）工程および（Ｄ３）工程である形態があげられる。
（Ａ）本発明の第一、第二または第三の分離容器を使用し、前記分離容器の前記試料導入室および前記分離対象物導出室の双方に、遠心処理液を充填する工程
（Ｂ）前記（Ａ）工程の前記試料導入室に、前記試料を導入する工程
（Ｃ３）前記（Ｂ）工程後の前記分離容器を遠心分離に供して、前記試料中の精子を前記試料導入室の下部に沈殿させる工程
（Ｄ３）前記（Ｃ３）工程後の前記分離容器において、前記試料導入室の下部から前記分離対象物導出室の上部に遊泳してきた精子を採取して回収する工程
【００６７】
本発明の第三の分離方法は、例えば、スイムアップ法を適用した形態である。
【００６８】
前記第三の分離方法は、例えば、前記（Ｃ３）工程および（Ｄ３）工程が、下記（Ｃ３’）工程および（Ｄ３’）工程であってもよい。
（Ｃ３’）前記遠心分離後、上清の前記遠心処理液を除去し、ついで、精子が遊泳可能な液体を前記試料導入室および分離対象物導出室の双方に充填する工程
（Ｄ３’）前記（Ｃ３’）工程後の前記分離容器において、前記試料導入室の下部から前記分離対象物導出室の上部に遊泳してきた精子を採取して回収する工程
【００６９】
本形態は、例えば、前記密度勾配法とスイムアップ法との組み合わせを適用した形態である。このように、密度勾配法を行った後、前記遠心処理液を除去し、さらに、前記液体を充填することによって、より効率良く成熟精子の洗浄ならびに回収を行うことができる。この場合、前記遠心処理液としては、例えば、パーコール等の密度勾配担体が好ましい。また、前記（Ｃ３’）工程において充填する液体は、精子が遊泳可能な液体であればよく、特に制限されないが、例えば、前述の精子の培地があげられる。
【００７０】
また、本発明の分離方法において、前記第一の内容器を有する本発明の第二の分離容器、または、前記第二の内容器を有する本発明の第三の分離容器を使用する場合は、例えば、以下の処理を行うことが好ましい。すなわち、遠心分離を行う前記（Ｃ）工程後且つ分離対象物を採取する前記（Ｄ）工程前、前記分離容器における前記内容器内部の気密性を維持した状態で、前記内容器を前記分離容器の外部に取り出すことが好ましい。このように、本発明の分離容器内から前記各内容器を取り出すことで、前記容器本体における前記分離対象物導出室が広くなり、前記（Ｄ）工程において、採取管の挿入がより一層容易になる。そして、これに伴い、前記分離対象物導出室に充填する遠心処理液の量もさらに低減することが可能となる。また、前記内容器は、その内部に試料導入室を有することから、前記内容器内部の気密性を維持して前記内容器を取り出すことによって、前記試料導入室内の液体が前記容器本体の分離対象物導出室内に漏れることを防止できる。これによって、前記分離対象物導出室の遠心処理液内に、前記試料導入室内の試料由来の不純物等が混入することを十分に防止できる。
【００７１】
このように内容器を取り出す形態において、本発明の分離容器としては、例えば、さらに蓋部を備え、前記蓋部が、前記内容器の開口部への脱着により、前記分離容器の容器本体の上端を開閉可能である分離容器が好ましい。この場合、前記内容器に前記蓋部を装着した状態で、前記内容器を前記分離容器の外部に取り出すことが好ましい。また、前記分離容器は、前述のように、前記試料導入室と前記分離容器外部とを連通可能な貫通孔および前記分離対象物導出室と前記分離容器外部とを連通可能な貫通孔を有してもよい。このように、本発明の分離容器が貫通孔を有する場合は、例えば、前記試料導入室と外部とを連通可能な貫通孔を塞いだ状態で、前記内容器を容器本体から取り出すことが好ましい。
【００７２】
本発明の第四の分離方法としては、分離対象物が精子であり、例えば、（Ｃ）工程および（Ｄ）工程が、下記（Ｃ４）工程および（Ｄ４）工程であり、さらに（Ｅ）〜（Ｇ）工程を有する形態があげられる。
（Ａ）本発明の第一、第二または第三の分離容器を使用し、前記分離容器の前記試料導入室および前記分離対象物導出室の双方に、遠心処理液を充填する工程
（Ｂ）前記（Ａ）工程の前記試料導入室に、前記試料を導入する工程
（Ｃ４）前記（Ｂ）工程後の前記分離容器を遠心分離に供して、前記試料中の精子を前記試料導入室の下部に沈殿させる工程
（Ｄ４）前記（Ｃ４）工程後の前記分離容器において、採取管を前記分離容器の前記開口部から前記分離対象物導出室の下部に挿入し、前記分離対象物導出室の下部に位置する前記精子を含む精液内固形物を前記採取管により採取し、前記採取管内に前記精子を含む精液内固形物を保持した状態で、前記採取管を前記容器本体から取り出す工程
（Ｅ）前記（Ａ）工程の分離容器とは別に、本発明の第一、第二または第三の分離容器を新たな分離容器として新たに使用し、前記新たな分離容器の前記試料導入室および前記分離対象物導出室の双方に、液体を充填する工程
（Ｆ）前記（Ｅ）工程後の前記新たな分離容器において、前記（Ｄ４）工程後の前記採取管を前記新たな分離容器の前記開口部から前記試料導入室の下部に挿入し、前記採取管内の前記精子を含む精液内固形物を、前記試料導入室の下部に導出する工程
（Ｇ）前記（Ｆ）工程後の前記新たな分離容器において、前記試料導入室の下部から前記分離対象物導出室の上部に遊泳してきた精子を採取して回収する工程
【００７３】
本形態は、例えば、一つの分離容器において密度勾配遠心法を適用した後、別の分離容器においてスイムアップ法を適用した形態である。
【００７４】
つぎに、本発明の第五の分離方法は、前述の本発明の第四の分離容器を使用する方法である。具体的に本発明の第五の分離方法としては、前記（Ａ）から（Ｄ）工程を有し、前記（Ｄ）工程が、下記（Ｄ５）工程である形態があげられる。
（Ａ）本発明の第一、第二または第三の分離容器を使用し、前記分離容器の前記試料導入室および前記分離対象物導出室の双方に、遠心処理液を充填する工程
（Ｂ）前記（Ａ）工程の前記試料導入室に、前記試料を導入する工程
（Ｃ）前記（Ｂ）工程後の前記分離容器を遠心分離に供して、前記試料から分離対象物を前記分離対象物導出室の下部に移動させて分離する工程
（Ｄ５）前記（Ｃ）工程後の前記分離容器において、前記内容器の上部開口に前記陽圧発生手段を装着し、前記内容器を前記容器本体から取り出し、前記陽圧発生手段により発生した圧力により、前記内容器の下部開口から前記分離対象物を導出して回収する工程
【００７５】
本発明の第五の分離方法において、前記分離対象物は特に制限されないが、前記第一の分離方法と同様に、精子であることが好ましい。また、本形態に適用する試料も、特に制限されず、前述と同様である。
【００７６】
本発明において、前記密度勾配担体は、特に制限されず、例えば、パーコール、修飾コロイドシリカ、ショ糖重合体、フィコール等があげられる。前記パーコールは、通常、ポリビニルピロリドン皮膜を持つコロイド状シリカゾルである。前記パーコールとしては、エンドトキシンを除去した後、ＨＥＰＥＳ含有液等の培地を添加して等張化したパーコールが好ましい。パーコールの濃度は、特に制限されないが、例えば、９０〜９８％が好ましい。本発明の分離方法において、遠心分離の条件は、特に制限されず、例えば、１０００Ｇ（１０００×９．８０６６５ｍ／ｓ２）で２０〜３０分間の条件である。
【００７７】
本発明において、前記分離容器を形成するための材料は、特に制限されない。前記分離容器を形成する材料は、例えば、合成樹脂材料、金属材料、ガラス材料等があげられる。これらの中でも、材料の加工性（例えば、成形性、組立性、必要に応じて接着性等）、衛生面（例えば、添加物の試料への溶出等）、機能性（例えば、視認性等）、コスト面等の観点から、前記合成樹脂材料が好ましい。また、本発明の分離容器は、前記容器本体と、前記隔壁、第一の内容器、第二の内容器または第三の内容器を構成要素とし、任意に固定部を有するが、これらは、同一の材料で形成されていてもよいし、異なる材料で形成されてもよい。前記容器本体を形成する材料は、例えば、フッ素樹脂、ポリプロピレン、ポリエチレン、ポリカーボネート、ポリエステル、ポリウレタン、ポリメチルペンテン、メタクリル、ＡＢＳ（アクリロニトリル・ブタジエン・スチレン共重合体）、ＰＥＴ（ポリエチレンテレフタレート）、ポリ塩化ビニル、シリコーン、エチレン酢酸ビニル共重合体、合成ゴム、各種エラストマー等の合成樹脂があげられ、これらの中でも、フッ素樹脂、ポリプロピレン、ポリエチレン、ポリカーボネートが好ましい。前記フッ素樹脂の中でも、疎水性フッ素樹脂が好ましく、特に、ポリテトラフルオロエチレン（ＰＴＦＥ）が好ましい。前記隔壁を形成する材料は、例えば、フッ素樹脂、ポリプロピレン、ポリエチレン、ポリカーボネート、ポリエステル、ポリメチルペンテン、メタクリル、ＡＢＳ、ＰＥＴ樹脂、ポリ塩化ビニル等の合成樹脂があげられ、これらの中でも、比較的硬質な合成樹脂が好ましい。前記隔壁の形成材料として、比較的硬質な合成樹脂を用いれば、より気密性に優れた分離容器を得ることができる。前記内容器を形成する材料は、前記容器本体と同様である。前記固定部の形成材料は、前記隔壁または前記内容器と同様である。
【実施例】
【００７８】
つぎに、本発明の実施例について説明する。ただし、本発明は、以下の実施例により制限されない。
【００７９】
（実施例１）
図１の断面図に、本発明の実施例１の分離容器を示す。図示のように、本例の分離容器１は、容器本体１１と、隔壁１２を有する。前記容器本体１１は、軸方向に長尺の有底円筒状容器であり、上端が開口し、かつ下端部は先端に行くに従い細径になっており、下端先端部は尖頭状となっている。前記隔壁１２は、前記容器本体１１内部において、前記軸方向に沿って形成されている。前記隔壁１２の形状は、前記容器本体１１の内部断面形状と略同形状であり、平板状で、下部はテーパー状に幅が細くなっており、下部先端部は尖頭状である。前記隔壁１２によって、前記容器本体１１内部が、略中央部を境に、試料導入室１４および分離対象物導出室１５の二室に区画されている。前記隔壁１２の下部には、貫通孔１３が形成されており、前記貫通孔１３により、前記試料導入室１４および前記分離対象物導出室１５は、それぞれの下部で連通している。前記隔壁１２は、その側面部分で前記容器本体１１と接しており、これによって、前記容器本体１１内で支持固定されている。前記隔壁１２と容器本体１１との接触部は、例えば、接着剤で接着固定されていてもよいが、隔壁１２と容器本体１１とを別部材とし、前記隔壁１２の幅サイズを、前記容器本体１１の内径よりも若干大きくし、前記隔壁１２の側面を前記容器本体１１の内周面に圧接することで支持固定してもよい。本発明において、容器本体１１と隔壁１２とを別部材とする場合、前記隔壁１２をアタッチメントとしてもよい。また、本発明において、前記容器本体１１と隔壁１２とが一体物であってもよい。本例の分離容器の隔壁１２には、貫通孔が一つ形成されているが、本発明は、これに限定されず、複数の貫通孔が形成されていてもよい。例えば、前記隔壁１２において、その長手方向に直列状に貫通孔を形成してもよく、後述の内容器の例も同様である。このように、貫通孔を隔壁の長手方向に直列状に形成すれば、例えば、密度勾配遠心した場合、中間層や上層に存在する成分も採取可能となる。また、前記貫通孔１３の形状は、特に制限されず、例えば、円形、多角形などの形状であってもよい。
【００８０】
本発明の分離容器のサイズは、特に制限されない。例えば、容器本体の容積は、例えば、０．１〜５０ｍＬの範囲であり、好ましくは、０．２〜２０ｍＬの範囲であり、より好ましくは、１〜１５ｍＬの範囲である。前記容器本体の最大内径（例えば、上部開口内径）は、例えば、５〜３０ｍｍの範囲である。隔壁の大きさは、例えば、前記容器本体の内面形状の大きさによって、適宜決定される。前述のように、隔壁の幅は、前記容器本体の内径よりも、若干大きめにすることが好ましい。前記隔壁の貫通孔の大きさは、特に制限されず、例えば、円形の貫通孔の場合、直径が、０．０５〜５ｍｍの範囲であり、好ましくは、０．１〜３ｍｍの範囲であり、より好ましくは、０．５〜２ｍｍの範囲である。
【００８１】
本例の分離容器を用いた試料からの分離対象物の分離方法について、パーコールを用いた精子の分離法を例に挙げて、図２の断面図を基づき、説明する。図２において、図１と同一部分には、同一符号を付している。
【００８２】
図２（Ａ）に示すように、本例の分離容器１の試料導入室１４および分離対象物導出室１５の双方に、パーコール１６を注入する。そして、前記試料導入室１４の前記パーコール１６の上に、精液等の精子含有試料１７を重層する。この状態で、前記分離容器１を遠心分離すると、図２（Ｂ）に示すように、前記試料１７から精子１７ａが分離されて前記分離容器１の底部に沈降する。しかし、前記試料導入室１４と前記分離対象物導出室１５とが、前記貫通孔１３によって連通しているため、前記試料導入室１４および前記分離対象物導出室１５の双方の底部に、精子１７ａが沈殿する。そして、図２（Ｂ）に示すように、前記分離対象物導出室１５の上部開口から、ピペット等の採取管１８を挿入し、前記分離対象物導出室１５の底部に沈殿した精子を採取して回収する。ついで、前記採取管１８を前記分離対象物導出室１５から引き抜くが、前記分離対象物導出室１５に存在するパーコール１６は、前記試料由来の不純物を含まない。したがって、採取回収された精子が、前記試料由来の不純物により汚染されることが防止できる。このようにして、汚染が防止された精子を分離できる。
【００８３】
（実施例２）
つぎに、図３、図４および図５に、本発明の実施例２の分離容器を示す。図３、図４および図５において、図１および図２と同一部分には同一符号を付している。本例では、容器本体にアタッチメントを取り付けて分離容器を構成する。本例の分離容器は、本発明の第一の分離容器の実施例であり、本例のアタッチメントは、本発明の第一のアタッチメントの実施例である。
【００８４】
図３の正面図に、本例の容器本体を示す。図示のように、本例の容器本体１００は、軸方向に長尺の有底円筒状容器１０１と、キャップ１０２とを有する。前記有底円筒状容器１０１は、上端が開口し、かつ下端部は先端に行くに従い細径になっており、下端先端部は尖頭状となっている。また、キャップ１０２は、連結部を介して前記上部開口の一部と連結しており、前記上部開口を閉塞可能である。本例の容器本体は、いわゆる遠心チューブを適用できる。なお、前記キャップは、例えば、有底円筒状容器１０１と分離した部材であってもよい。以下の実施例においても同様である。
【００８５】
図４（Ａ）、（Ｂ）、（Ｃ）および（Ｄ）に、本例のアタッチメントを示す。図４（Ａ）は、本例のアタッチメントの斜視図であり、図４（Ｂ）は、本例のアタッチメントの正面図であり、図４（Ｃ）は、図４（Ａ）のＩ−Ｉ方向に見た断面図であり、図４（Ｄ）は、本例のアタッチメントの上面図である。図４（Ａ）〜（Ｄ）に示すように、本例のアタッチメント２１は、平板状の隔壁１２と、板状の固定部材１２１とから構成される。前記隔壁１２は、図３に示す前記容器本体１００の有底円筒状容器１０１の内部断面形状と略同形状であり、下部はテーパー状に幅が細くなっており、下部先端部は尖頭状である。また、前記隔壁１２の下部には、一つの円形の貫通孔１３が形成されている。前記板状固定部材１２１は、前記隔壁１２の上部に、前記隔壁１２の両面から突き出るように取り付けられている。なお、図４（Ｅ）は、本例のアタッチメントにおいて、貫通孔１３を、隔壁１２の長手方向に従って直列に複数個（同図では、４個）形成したものである。前述のように、貫通孔を複数個形成することで、密度勾配担体の上層および中層に存在する成分を採取して回収することが可能となる。
【００８６】
つぎに、本例のアタッチメント２１を、本例の容器本体１００に挿入して分離容器を構成した例を、図５に示す。なお、図５では、アタッチメントの構成がわかりやすいように、容器本体１００は、有底円筒状容器１０１のみ点線で示している。図５（Ａ）は、アタッチメント２１を容器本体１００に挿入した状態の正面図であり、図５（Ｂ）は、図４（Ａ）のＩ−Ｉ方向に見た断面図である。図示のように、前記アタッチメント２１を前記有底円筒状容器１０１に挿入した場合、前記隔壁１２の側面が前記有底円筒状容器１０１の内周面に当接すると共に、前記板状固定部材１２１の両端側面も前記内周面に当接している。したがって、前記隔壁１２は、強固に前記有底円筒状容器１０１内に支持固定される。また、前記アタッチメント２１のサイズを、前記有底円筒状容器１０１の内径よりも若干大きめにすれば、前記隔壁１２の側面および前記板状固定部材１２１の両端側面が、前記有底円筒状容器１０１の内周面に圧接するため、さらに、強固に支持固定されることになる。
【００８７】
本例の分離容器において、前記容器本体１００およびアタッチメント２１の大きさは、特に制限されないが、例えば、実施例１と同じ構成の部分は、同様にすることができる。前記板状固定部材１２１の幅は、例えば、５〜３０ｍｍの範囲である。前記容器本体１００の前記キャップ１０２において、前記キャップ１０２が前記有底円筒状容器１０１に嵌入する部分の外形は、例えば、前記有底円筒状容器１０１の上部開口の内径と同じか若干大きめにすればよい。
【００８８】
本例の分離容器によるパーコールを用いた精子の分離法は、アタッチメントを容器本体の有底円筒状容器に挿入して分離容器を形成し、遠心分離時には、前記有底円筒状容器の上部開口をキャップで閉塞する以外は、実施例１と同様にして実施できる。
【００８９】
（実施例３）
つぎに、図６および図７に、本発明の実施例３の分離容器を示す。図６および図７において、図１から図５と同一部分には同一符号を付している。本例では、容器本体にアタッチメントを取り付けて分離容器を構成する。本例の分離容器は、本発明の第一の分離容器の実施例であり、本例のアタッチメントは、本発明の第一のアタッチメントの実施例である。
【００９０】
本例において、容器本体は、実施例２と同様に、図３に示すものが使用できる。
【００９１】
図６（Ａ）、（Ｂ）、（Ｃ）および（Ｄ）に、本例のアタッチメントを示す。図６（Ａ）は、本例のアタッチメントの斜視図であり、図６（Ｂ）は、本例のアタッチメントの正面図であり、図６（Ｃ）は、図６（Ａ）のＩ−Ｉ方向に見た断面図であり、図６（Ｄ）は、本例のアタッチメントの上面図である。図６（Ａ）〜（Ｄ）に示すように、本例のアタッチメント２２は、板状固定部材に代えて、円環状の固定部材１２２を、隔壁１２の上部に取り付けている以外は、実施例２のアタッチメントと同様の構成である。
【００９２】
つぎに、本例のアタッチメント２２を、図３に示す容器本体１００に挿入して分離容器を構成した例を、図７に示す。なお、図７では、アタッチメントの構成がわかりやすいように、容器本体１００は、有底円筒状容器１０１のみ点線で示している。図７（Ａ）は、アタッチメント２２を容器本体１００に挿入した状態の正面図であり、図７（Ｂ）は、図６（Ａ）のＩ−Ｉ方向に見た断面図である。図示のように、前記アタッチメント２２を前記有底円筒状容器１０１に挿入した場合、前記隔壁１２の側面が前記有底円筒状容器１０１の内周面に当接すると共に、前記円環状固定部材１２２の外周面全体も前記内周面に当接している。したがって、前記隔壁１２は、強固に前記有底円筒状容器１０１内に支持固定される。また、実施例２と同様に、前記アタッチメント２２のサイズを、前記有底円筒状容器１０１の内径よりも若干大きめにすれば、前記隔壁１２の側面および前記円環状固定部材１２２の外周面全体が、前記有底円筒状容器の内周面に圧接するため、さらに、強固に支持固定されることになる。
【００９３】
本例の分離容器において、容器本体およびアタッチメントの大きさは、特に制限されないが、例えば、実施例１と同じ構成の部分は、同様にすることができる。円環状固定部材１２２の幅は、例えば、５〜３０ｍｍの範囲である。
【００９４】
本例の分離容器によるパーコールを用いた精子の分離法は、前記アタッチメントを前記容器本体の有底円筒状容器に挿入して前記分離容器を形成し、遠心分離時には、前記有底円筒状容器の上部開口を前記キャップで閉塞する以外は、実施例１と同様にして実施できる。
【００９５】
（実施例４）
つぎに、図８および図９に、本発明の実施例４の分離容器を示す。図８および図９において、図１から図７と同一部分には同一符号を付している。本例では、容器本体にアタッチメントを取り付けて分離容器を構成する。本例の分離容器は、本発明の第二の分離容器の実施例であり、本例のアタッチメントは、本発明の第二のアタッチメントの実施例である。
【００９６】
本例において、容器本体は、実施例２と同様に、図３に示すものが使用できる。
【００９７】
図８（Ａ）、（Ｂ）、（Ｃ）および（Ｄ）に、本例のアタッチメントを示す。図８（Ａ）は、本例のアタッチメントの斜視図であり、図８（Ｂ）は、本例のアタッチメントの正面図であり、図８（Ｃ）は、図８（Ａ）のＩ−Ｉ方向に見た断面図であり、図８（Ｄ）は、本例のアタッチメントの上面図である。図８（Ａ）〜（Ｄ）に示すように、本例のアタッチメント２３は、前記第一の内容器であり、前記内容器は、軸方向に長尺で半円筒状であり、上部が開口し、下部は、先端に行くにしたがって細径になっており、下部先端は尖頭状である。また、前記内容器の下部には貫通孔１３が形成されている。前記内容器の半円筒状の半円の外周曲面部１２４は、前記容器本体１００の有底円筒状容器１０１の内周面の一部と略同形状である。前記内容器の半円筒状の平面部の側壁が、隔壁１２である。前記内容器の上部には、円環状固定部材１２３が取り付けられている。
【００９８】
つぎに、本例のアタッチメント２３を、図３に示す容器本体１００に挿入して分離容器を構成した例を、図９に示す。なお、図９では、アタッチメントの構成がわかりやすいように、容器本体１００は、有底円筒状容器１０１のみ点線で示している。図９（Ａ）は、アタッチメント２３を容器本体１００に挿入した状態の正面図であり、図９（Ｂ）は、図８（Ａ）のＩ−Ｉ方向に見た断面図である。図示のように、アタッチメント２３を前記有底円筒状容器１０１に挿入した場合、前記内容器の半円部の外周面は、前記有底円筒状容器１０１の内周面に当接し、かつ、前記内容器の上部に取り付けられた円環状固定部材１２３の外周面全体も、前記有底円筒状容器１０１の内周面に当接している。これによって、前記アタッチメント２３が前記容器本体中で強固に支持固定されることになる。また、前記アタッチメント２３の前記内容器内部が試料導入室１４であり、前記内容器の平面状側壁（隔壁１２）と、前記容器本体の内周面における前記内容器が接している面以外の面とで形成される空間が、分離対象物導出室１５となる。また、実施例２と同様に、前記アタッチメント２３のサイズを、前記有底円筒状容器１０１の内径よりも若干大きめにすれば、前記内容器の半円部の外周面および前記円環状固定部材１２３の外周面全体が、前記有底円筒状容器１０１の内周面に圧接するため、さらに、強固に支持固定されることになる。
【００９９】
本例の分離容器において、前記容器本体の大きさは、特に制限されないが、例えば、実施例１と同様にすることができる。前述のように、前記アタッチメント２３の大きさは、前記有底円筒状容器の内径よりも若干大きめにすることが好ましい。その他、実施例１から実施例３と同様の構成の部分は、同様にすることができる。
【０１００】
本例の分離容器によるパーコールを用いた精子の分離法は、前記アタッチメントを前記容器本体の有底円筒状容器に挿入して分離容器を形成し、遠心分離時には、前記有底円筒状容器の上部開口を前記キャップで閉塞する以外は、実施例１と同様にして実施できる。
【０１０１】
（実施例５）
つぎに、図１０および図１１に、本発明の実施例５の分離容器を示す。図１０および図１１において、図１から図９と同一部分には同一符号を付している。本例では、容器本体にアタッチメントを取り付けて分離容器を構成する。本例の分離容器は、本発明の第三の分離容器の実施例であり、本例のアタッチメントは、本発明の第三のアタッチメントの実施例である。
【０１０２】
本例において、容器本体は、実施例２と同様に、図３に示すものが使用できる。
【０１０３】
図１０（Ａ）および（Ｂ）に、本例のアタッチメントを示す。図１０（Ａ）は、本例のアタッチメントの斜視図であり、図１０（Ｂ）は、図１０（Ａ）のＩ−Ｉ方向に見た断面図である。図１０（Ａ）および（Ｂ）に示すように、本例のアタッチメント２４は、前記第二の内容器１２６を有し、前記内容器１２６は、軸方向に長尺の円筒状容器であり、上部は開口し、下部は、先端に行くにしたがい細径であり、下部先端部は開口している。前記内容器１２６の側壁全体が隔壁である。前記内容器１２６は、前記容器本体の内径より小さい外径と、前記容器本体の深さより小さい高さとを有する。前記内容器１２６の上部には、上部板状固定部材１２５が、四方向（例えば、東西南北の各方向）に突き出るように取り付けられている。前記内容器１２６の下部には、円環状部材に、板状部材が四方向（例えば、東西南北の各方向）に突き出るように取り付けられている下部固定部材１２８が、着脱自在に装着されている。
【０１０４】
つぎに、本例のアタッチメント２４を、図３に示す容器本体１００に挿入して分離容器を構成した例を、図１１に示す。なお、図１１では、アタッチメントの構成がわかりやすいように、容器本体１００は、有底円筒状容器１０１のみ点線で示している。図１１は、図１０（Ａ）のＩ−Ｉ方向に見た断面図である。図示のように、前記アタッチメント２４を前記有底円筒状容器１０１に挿入した場合、前記上部板状固定部材１２５および前記下部固定部材１２８により、前記内容器１２６の外周面が有底円筒状容器１０１内周面から一定の距離をおいて支持固定された状態で、前記内容器が前記有底円筒状容器１０１内部に配置されることになる。そして、前記内容器１２６の外周面と前記有底円筒状容器１０１の内周面との間の空間が、試料導入室１４であり、前記内容器１２６内部が、分離対象物導出室１５となる。
【０１０５】
本例の分離容器において、容器本体の大きさは、特に制限されないが、例えば、実施例１と同様にすることができる。前述のように、前記アタッチメント２４は、前記容器本体の内径より小さい外径と、前記容器本体の深さより小さい高さとを有し、上部開口および下部開口の大きさは適宜決定される。その他、実施例１から実施例４と同様の構成の部分は、同様にすることができる。
【０１０６】
本例の分離容器によるパーコールを用いた精子の分離法は、前記アタッチメントを前記容器本体の有底円筒状容器に挿入して分離容器を形成し、遠心分離時には、前記有底円筒状容器の上部開口をキャップで閉塞する以外は、実施例１と同様にして実施できる。
【０１０７】
（実施例６）
つぎに、図１２に、本発明の実施例６の分離容器を示す。図１２において、図１から図１１と同一部分には同一符号を付している。本例の分離容器は、スイムアップ法に適したものである。ただし、本例の分離容器は、密度勾配遠心法にも適用できる。
【０１０８】
図１２（Ａ）は、本例の分離容器の断面図である。図示のように、本例の分離容器１ａは、平板状の隔壁１２が、試料導入室１４側に偏って配置され、かつ前記隔壁１２の下部が、試料導入室１４側に折れ曲がっている。これら以外は、本例の分離容器は、実施例１で示した分離容器と同様の構成である。
【０１０９】
図１２（Ｂ）および図１２（Ｃ）の断面図に基づき、本例の分離容器を用いたスイムアップ法による精子の分離法を説明する。図１２（Ｂ）に示すように、前記試料導入室１４および前記分離対象物導出室１５の双方に、ＨＥＰＥＳ含有液等の培地１６を入れる。前記試料導入室１４の培地には、精子を含む試料１７を入れる。この状態で、遠心分離すると、精子１７ａが前記試料１７から分離して沈降し、図１２（Ｃ）に示すように、前記試料導入室１４および前記分離対象物導出室１５の双方の底部に沈殿する。ここで、前述のように、前記隔壁１２を偏って配置し、かつ前記隔壁１２の下部を折り曲げているため、多くの精子は、前記分離対象物導出室１５側に沈殿し、つぎの工程のスイムアップがしやすくなる。つぎに、沈殿した精子を放置すると、図１２（Ｃ）の矢印Ｘで示すように、沈殿した精子が、培地中を遊泳して浮上してくる。浮上した精子を採取して回収する。このように、前記試料導入室１４で遠心分離し、前記分離対象物導出室１５でスイムアップを実施すれば、精子の回収の際に、試料由来の不純物の混入が防止できる。なお、遠心分離時において、前記培地の代わりに、パーコール等の密度勾配担体を使用して密度勾配遠心により精子を沈殿させ、密度勾配担体を除去し、前記培地を分離容器に入れて、スイムアップ法を実施してもよい。本例の分離容器によるパーコールを用いた精子の分離法は、実施例１と同様にして実施できる。
【０１１０】
つぎに、スイムアップ法に適したアタッチメントの例を、図１３、図１４、図１５および図１６に示す。
【０１１１】
まず、本発明の第二のアタッチメントにおいて、スイムアップ法に適した形態の例を、図１３および図１４に示す。図１３および図１４において、図１から図１２と同一部分には同一符号を付している。
【０１１２】
図１３（Ａ）、（Ｂ）、（Ｃ）および（Ｄ）に、本例のアタッチメントを示す。図１３（Ａ）は、本例のアタッチメントの斜視図であり、図１３（Ｂ）は、本例のアタッチメントの正面図であり、図１３（Ｃ）は、図１３（Ａ）のＩ−Ｉ方向に見た断面図であり、図１３（Ｄ）は、本例のアタッチメントの上面図である。図示のように、本例のアタッチメントは、実施例４のアタッチメントにおいて、内容器の隔壁部を、軸方向に平行な平行隔壁部１２ａと、内容器内部側にテーパー状に傾けたテーパー隔壁部１２ｂとなるように構成しており、これ以外は、実施例４のアタッチメントと同様である。
【０１１３】
本例のアタッチメントを、図３に示す容器本体１００に挿入して分離容器を構成した例を、図１４に示す。なお、図１４では、アタッチメントの構成がわかりやすいように、容器本体１００は、有底円筒状容器１０１のみ点線で示している。図１４（Ａ）は、アタッチメントを容器本体１００に挿入した状態の正面図であり、図１４（Ｂ）は、図１３（Ａ）のＩ−Ｉ方向に見た断面図である。図示のように、本例のアタッチメントは、前記隔壁１２ｂが前記試料導入室１４側にテーパー状に折れ曲がっているため、前記分離対象物導出室１５の底部が広くなっており、多くの精子が前記分離対象物導出室１５に沈殿するようになっている。
【０１１４】
つぎに、本発明の第二のアタッチメントにおいて、スイムアップ法に適した別の形態の例を、図１５の斜視図に示す。図１５において、図１から図１４と同一部分には同一符号を付している。
【０１１５】
図１５（Ａ）に示すアタッチメントは、内容器の下端が開口しており、これ以外は、実施例４のアタッチメントと同様である。図１５（Ｂ）に示すアタッチメントは、貫通孔１３が、内容器の隔壁１２の下端先端部において切り欠くように大きく形成されており、これ以外は、実施例４のアタッチメントと同様である。図１５（Ａ）および（Ｂ）に示す形態のアタッチメントも、例えば、多くの精子を分離対象物導出室の底部に沈殿させることができる。
【０１１６】
つぎに、本発明の第一のアタッチメントにおいて、スイムアップ法に適した別の形態の例を、図１６の斜視図に示す。図１６において、図１から図１５と同一部分には同一符号を付している。
【０１１７】
図１６（Ａ）に示すアタッチメントは、隔壁１２の長さが容器本体の深さよりも短くなっており、これ以外は、実施例２のアタッチメントと同様である。図１６（Ｂ）に示すアタッチメントは、貫通孔１３が、隔壁１２の下部先端部において切り欠くように大きく形成されており、これ以外は、実施例２のアタッチメントと同様である。図１６（Ａ）および（Ｂ）に示す形態のアタッチメントも、例えば、多くの精子を分離対象物導出室の底部に沈殿させることができる。
【０１１８】
図１３、図１４、図１５および図１６に示したアタッチメントは、スイムアップ法に好ましく適用できるが、本発明はこれに限定されず、密度勾配遠心法にも好ましく適用できる。
【０１１９】
（実施例７）
前記スイムアップ法により精液から精子を分離する場合には、前記遠心分離時に、精子を含む精液内固形物が沈降することがある。この場合には、精子の遊泳・浮上が妨げられ、精子の回収が困難となる。また、この状態で分離対象物導出室に培地等を導入すれば、前記精液内固形物が培地中に舞い上がり、精子に不純物が混入する恐れもある。これらの問題を回避するには、例えば、つぎのような方法がある。すなわち、まず、図２（Ａ）に示すように、実施例１で示した前記分離容器１の前記試料導入室１４および前記分離対象物導出室１５の双方に、パーコール１６を注入する。そして、前記試料導入室１４の前記パーコール１６の上に、精液１７を重層する。この状態で、前記分離容器１を遠心分離すると、図２（Ｂ）に示すように、前記精液１７から精子を含む精液内固形物１７ａが分離されて前記分離容器１の底部に沈降する。しかしながら、前記試料導入室１４と前記分離対象物導出室１５とは、貫通孔１３によって連通しているため、前記精液内固形分１７ａは、前記試料導入室１４および前記分離対象物導出室１５の双方の底部に沈殿する。そして、図２（Ｂ）に示すように、前記分離対象物導出室１５の上部開口から、ピペット等の採取管１８を挿入し、前記分離対象物導出室１５に沈殿した精子を含む精液内固形物を採取して回収する。ついで、前記採取管１８を、前記分離対象物導出室１５から引き抜く。この際、前記分離対象物導出室１５に存在するパーコール１６は、前記精液由来の不純物を含まない。したがって、採取回収された精子を含む前記精液内固形物が、前記精液由来の不純物により汚染されることを防止できる。このようにして、汚染が防止された精子を含む精液内固形物を分離できる。つぎに、図１２（Ａ）に示す前記分離容器１ａの前記試料導入室１４および前記分離対象物導出室１５の双方に、精子が遊泳可能な培地を入れる。ついで、前記採取管１８を前記分離容器１ａの開口部から前記試料導入室１４の下部に挿入し、前記採取管１８内の前記精子を含む精液内固形物を、前記試料導入室１４の下部に導出する。前記精子を含む精液内固形物は、前記試料導入室１４および前記分離対象物導出室１５の双方の底部に沈殿する。ここで、前述のように、前記隔壁１２を偏って配置し、かつ前記隔壁１２の下部を折り曲げているため、多くの精子を含む精液内固形物は、前記分離対象物導出室１５側に沈殿し、つぎの工程のスイムアップがしやすくなる。つぎに、沈殿した精子を含む精液内固形物を放置すると、前記精液内固形物に含まれる精子が、培地中を遊泳して浮上してくる。浮上した精子を採取して回収する。このように、一つの分離容器において密度勾配遠心法を適用した後、別の分離容器においてスイムアップ法を適用することで、精液から精子を分離する場合においても、不純物を混入させることなく、容易に精子を回収できる。
【０１２０】
（実施例８）
つぎに、図１７に、本発明の実施例８の分離容器を示す。図１７において、図１から図１６と同一部分には同一符号を付している。本例では、容器本体にアタッチメントを取り付けて分離容器を構成する。本例の分離容器は、本発明の第四の分離容器の実施例であり、本例のアタッチメントは、本発明の第四のアタッチメントの実施例である。
【０１２１】
本例において、容器本体は、実施例２と同様に、図３に示すものが使用できる。
【０１２２】
図１７（Ａ）の断面図に、本例のアタッチメントを示す。図示のように、本例のアタッチメントは、第三の内容器５１である。前記内容器５１は、軸方向に長尺の円筒状であり、上部は開口し、下部は、先端部に行くにしたがい細径であり、下部先端は開口している。前記内容器５１は、前記容器本体内部に挿入可能な外径および高さを有し、前記内容器の外周面形状が前記容器本体の内周面形状と略同形状である。また、内容器５１の上部には、上部開口を覆うように陽圧発生部であるスポイトゴム５２が、取り付けられている。前記陽圧発生部としては、特に制限されないが、前述のスポイトのような陽圧発生手段があげられる。
【０１２３】
つぎに、本例のアタッチメントを、図３に示す容器本体１００に挿入して分離容器を構成した例を、図１７（Ｂ）の断面図に示す。なお、図１７（Ｂ）では、アタッチメントの構成がわかりやすいように、容器本体１００は、有底円筒状容器１０１のみ点線で示している。図示のように、前記アタッチメントを前記有底円筒状容器１０１に挿入した場合、前記内容器５１の外周面が前記有底円筒状容器１０１の内周面に当接し、これによって、アタッチメントが前記容器本体中で強固に支持固定されることになる。実施例２と同様に、本例のアタッチメントのサイズを、例えば、前記有底円筒状容器１０１の内径よりも若干大きめにすれば、前記内容器５１の外周面が、前記有底円筒状容器１０１の内周面に圧接するため、さらに、強固に支持固定されることになる。
【０１２４】
つぎに、本例の分離容器を用いた精子の分離方法について、説明する。まず、図１７（Ｂ）に示すように、本例のアタッチメント５１を前記有底円筒状容器１０１に挿入し、前記内容器５１内に、パーコール１６を入れ、前記パーコール１６の上に、精子を含む試料１７を重層する。そして、キャップで前記有底円筒状容器１０１の上部開口を閉塞した状態で遠心分離し、精子１７ａを沈殿させる。遠心分離後、図１７（Ｃ）の断面図に示すように、前記内容器５１の上部開口を塞ぐようにスポイトゴム５２を取り付け、前記内容器５１を前記有底円筒状容器１０１から取り出す。そして、図１７（Ｄ）の断面図に示すように、指等でスポイトゴム５２を凹ませることにより陽圧を発生させ、前記陽圧により、前記内容器５１の底部に沈殿していた精子１７ａを、下部開口から導出し、回収する。このようにすれば、パーコールの上層および中層に試料由来の不純物が存在していても、精子に混入することなく、精子を回収することが可能となる。
【０１２５】
本例の分離容器において、容器本体の大きさは、特に制限されないが、例えば、実施例１と同様にすることができる。前述のように、アタッチメントの大きさは、有底円筒状容器の内径よりも若干大きめにすることが好ましい。
【０１２６】
（実施例９）
つぎに、図１８に、本発明の実施例９の分離容器を示す。図１８において、図１から図１７と同一部分には同一符号を付している。本例では、容器本体にアタッチメントおよびキャップを取り付けて分離容器を構成する。本例の分離容器は、本発明の第二の分離容器の実施例であり、本例のアタッチメントは、本発明の第二のアタッチメントの実施例である。
【０１２７】
図１８（Ａ）および（Ｂ）に、本例の分離容器を示す。図１８（Ａ）および（Ｂ）は、本例の分離容器の構成部材、すなわち、容器本体２００、アタッチメント２５およびキャップ１０３を分離して表した図である。図１８（Ａ）は、容器本体２００、アタッチメント２５およびキャップ１０３の斜視図であり、図１８（Ｂ）は、図１８（Ａ）における容器本体のＩ−Ｉ方向に見た断面図、アタッチメント２５のII−II方向に見た断面図、キャップのIII−III方向に見た断面図である。図１８（Ａ）および（Ｂ）に示すように、本例の分離容器において、前記容器本体２００は、軸方向に長尺の有底円筒状容器であり、上端が開口し、かつ下端部は先端に行くに従い細径になっており、下端先端部は尖頭状となっている。本例のアタッチメント２５は、前記第一の内容器であり、前記内容器は、軸方向に長尺で半円筒状であり、上部が開口し、下部は、先端に行くにしたがって細径になっており、下部先端は開口している。前記内容器の半円筒状の半円の外周曲面部１２４は、有底円筒状である前記容器本体２００の内周面の一部と略同形状である。前記内容器の半円筒状の平面部の側壁が、隔壁１２である。前記内容器の上部には、円環状固定部材２２２が取り付けられている。円環状固定部材２２２における上部２２２ａは、円筒状であり、前記上部の外周直径は、前記容器本体２００の上部開口よりも大きい直径である。他方、円環状固定部材２２２における下部２２２ｂは、円筒状であり、その外周直径は、前記容器本体２００の上部開口の内径よりも、若干大きいことが好ましい。なお、前記下部２２２ｂの一部は、前記内容器の外周面１２４が兼ねている（同図において左側）。キャップ１０３は、前記容器本体２００およびアタッチメント２５の上部開口を閉塞可能である。
【０１２８】
つぎに、アタッチメント２５を容器本体２００に挿入し、さらにキャップ１０３を装着して分離容器を構成した例を、図１９に示す。図１９において、図１８と同一部分には、同一符号を付している。図１９は、アタッチメント２５を容器本体２００に挿入して、さらにキャップ１０３を装着した状態の分離容器２の断面図である。図示のように、アタッチメント２５を前記有底円筒状の容器本体２００に挿入した場合、前記内容器の半円部の外周面１２４は、前記容器本体２００の内周面に当接し、かつ、前記内容器上部の円環状固定部材２２２の下部２２２ｂの外周面全面も、前記容器本体の２００の内周面に当接している。これによって、前記アタッチメント２５が前記容器本体２００中で強固に支持固定されることになる。また、前記アタッチメント２５の前記内容器内部が試料導入室１４であり、前記内容器の平面状側壁（隔壁１２）と、前記容器本体の内周面における前記内容器が接している面以外の面とで形成される空間が、分離対象物導出室１５となる。また、実施例２と同様に、前記アタッチメント２５のサイズを、前記容器本体２００の内径よりも若干大きめにすれば、前記内容器の半円部の外周面および前記円環状固定部材２２２における下部２２２ｂの外周面全体が、前記容器本体２００の内周面に圧接するため、さらに、強固に支持固定されることになる。また、本例において、前記円環状固定部材２２２における上部２２２ａは、前記容器本体２００の開口部に引っかかる形状であるため、例えば、前記アタッチメント２５全体が容器本体２００内部に嵌ることを防止できる。また、前記円環状固定部材２２２における上部２２２aは、前記容器本体２００から露出しており、前記アタッチメント２５の把持部を兼ねる。この把持部を持って前記アタッチメント２５の着脱を行えることから、より一層取り扱いが簡便となる。
【０１２９】
本例の分離容器２において、前記容器本体２００の大きさは、特に制限されないが、例えば、実施例２における、有底円筒状容器１０１と同様にすることができる。前述のように、前記アタッチメント２５の大きさは、前記有底円筒状容器の内径よりも若干大きめにすることが好ましい。前記円環状固定部材２２２において、円筒状の上部２２２ａの外周直径は、例えば、５〜５０ｍｍの範囲であり、円筒状の下部２２２ｂの外周直径は、例えば、３〜４８ｍｍの範囲である。キャップ１０３は、その内径が、例えば、アタッチメント２５の円環状固定部材２２２における上部２２２ａの外周直径と同じか若干小さめにすればよい。その他、実施例１から実施例７と同様の構成の部分は、同様にすることができる。
【０１３０】
本例の分離容器を用いた試料からの分離対象物の分離方法について、パーコールを用いた精子の分離法を例に挙げて、図１９の断面図を基づき、説明する。なお、特に示さない限り、例えば、実施例１〜７と同様にして、実施できる。
【０１３１】
まず、図１９に示すように、前記容器本体２００の内部に前記アタッチメント２５を装着する。そして、前記試料導入室１４および前記分離対象物導出室１５の双方に、パーコール１６を注入する。さらに、前記試料導入室１４の前記パーコール１６の上に、精液等の精子含有試料を重層した後、前記アタッチメント２５の開口上部にキャップ１０３を装着する。これにより、本例の分離容器内部の液体が外部に漏れること、また、外部から本例の分離容器内部に不純物等が混入することを十分に防止できる。この状態で、前記分離容器２を遠心分離すると、同図に示すように、前記試料から精子１７ａが分離されて前記分離容器２の底部に沈降する。続いて、前記アタッチメント２５に前記キャップ１０３を装着した状態で、前記アタッチメント２５を前記容器本体２００から取り出す。前記アタッチメント２５の取り出しにより、前記容器本体内部の底部全体が、前記分離対象物導出室となる。そして、前記容器本体２００の上部開口から、ピペット等の採取管を挿入し、前記容器本体２００の底部に沈殿した精子を採取して回収する。前述のように前記アタッチメント２５を取り出ししているため、前記容器本体内部において前記採取管を挿入可能な領域が拡大され、操作のし易さがさらに向上する。
【０１３２】
つぎに、本発明の第二の分離容器ならびに第二のアタッチメントの別の形態の例を、図２０の断面図に示す。図２０において、図１８および図１９と同一部分には同一符号を付している。
【０１３３】
図２０に示す分離容器３において、アタッチメントは、円環状固定部材２２３の上部２２３ａに、二つの貫通孔２２３ｃおよび２２３ｄを有しており、これ以外は、前記図１８および図１９に示す分離容器と同様である。図２０において、貫通孔２２３ｃは、前記分離対象物導出室１５と前記分離容器３外部とを連通可能な貫通孔であり、貫通孔２２３ｄは、前記試料導入室１４と前記分離容器３外部とを連通可能な貫通孔である。そして、前記貫通孔２２３ｃおよび２２３ｄは、閉塞可能であってもよい、また、開閉状態を調整可能であってもよい。このように、貫通孔を設けることで、例えば、分離容器３内部の圧力、具体的には、前記試料導入室１４内部と前記分離対象物導出室１５内部の圧力を調整可能である。
【０１３４】
前記貫通孔２２３ｃおよび２２３ｄの形状、大きさ、数は特に制限されない。前記貫通孔の形状は、例えば、円形形状、楕円形状等が好ましいが、その他の形状であってもよい。前記貫通孔が円形形状の場合、前記貫通孔の大きさは、直径が、例えば、０．１〜１０ｍｍである。前記貫通孔がその他の形状の場合、前記貫通孔の大きさは、最長開口部が、例えば、０．１〜１０ｍｍである。また、貫通孔の数は、開閉が容易であることから、例えば、前記分離対象物導出室１５と前記分離容器３外部とを連通可能な貫通孔と、前記試料導入室１４と前記分離容器３外部とを連通可能な貫通孔とが、それぞれ一個ずつであることが好ましい。
【０１３５】
本例の分離容器３を用いた試料からの分離対象物の分離方法について、パーコールを用いた精子の分離法を例に挙げて、図２０の断面図を基づき、説明する。なお、特に示さない限り、例えば、前記図１９に示す分離容器を用いた方法と同様にして、実施できる。
【０１３６】
本例の分離容器３の場合、例えば、貫通孔２２３ｃおよび２２３ｄを開口した状態で、遠心分離を行う。そして、前記試料導入室１４と前記分離容器３外部とを連通可能な前記貫通孔２２３ｄを塞いだ状態で、前記容器本体２００から、前記キャップ１０３を装着した前記アタッチメント２５を取り出す。遠心時においては、貫通孔２２３ｃおよび２２３ｄを開口しているため、気密状態を解除できる。他方、アタッチメント２５を取り出す際には、貫通孔２２３ｄを閉塞することにより、前記分離容器３内部の気密性が維持されるため、前記アタッチメント２５の前記試料導入室１４から液体が漏れ落ちることを防止できる。
【０１３７】
また、例えば、前記貫通孔２２３ｃおよび２２３ｄの開閉により、遠心後、前記アタッチメント２５の前記試料導入室１４下部に残存する分離対象物を、前記分離対象物導出室１５に導出することもできる。この場合、前記貫通孔２２３ｃおよび貫通孔２２３ｄ、もしくは、いずれか一方を閉塞した状態で遠心分離を行う。そして、前記アタッチメント２５の前記試料導入室１４内部に分離対象物が残存している場合には、前記貫通孔２２３ｃおよび２２３ｄの両方を開口することによって、前記試料導入室１４下部に残存する分離対象物を、前記分離対象物導出室１５に導出できる。続いて、前述と同様に、前記貫通孔２２３ｄを塞いだ状態でアタッチメント２５を取り出せばよい。なお、完全に開口または閉塞することで、前述のように、内部の圧力を調整してもよいし、開口や閉塞の程度を変化させることで、同様に調整を行うこともできる。
【産業上の利用可能性】
【０１３８】
本発明の分離容器は、不要な成分の混入を防止でき、遠心分離時に部材の脱落がなく、安全性に優れ、簡単な操作で試料から分離対象物を分離可能である。本発明の分離容器は、試料からの精子の分離（例えば、洗浄、濃縮）に好ましく使用できるが、これに限定されず、広い分野に適用可能である。
【図面の簡単な説明】
【０１３９】
【図１】図１は、本発明の実施例１の分離容器の構成を示す断面図である。
【図２】図２（Ａ）および（Ｂ）は、実施例１の分離容器を用いて試料から精子を分離する方法の例を示す断面図である。
【図３】図３は、本発明の実施例２の分離容器の容器本体の一例を示す正面図である。
【図４】図４（Ａ）は、実施例２のアタッチメントの斜視図であり、図４（Ｂ）は、本例のアタッチメントの正面図であり、図４（Ｃ）は、図４（Ａ）のＩ−Ｉ方向に見た断面図であり、図４（Ｄ）は、本例のアタッチメントの上面図であり、図４（Ｅ）は、本例のアタッチメントの別の形態を示す斜視図である。
【図５】図５（Ａ）は、実施例２において、アタッチメントを容器本体１００に挿入した状態の正面図であり、図５（Ｂ）は、図４（Ａ）のＩ−Ｉ方向に見た断面図である。
【図６】図６（Ａ）は、実施例３のアタッチメントの斜視図であり、図６（Ｂ）は、本例のアタッチメントの正面図であり、図６（Ｃ）は、図６（Ａ）のＩ−Ｉ方向に見た断面図であり、図６（Ｄ）は、本例のアタッチメントの上面図である。
【図７】図７（Ａ）は、実施例３において、アタッチメントを容器本体１００に挿入した状態の正面図であり、図７（Ｂ）は、図６（Ａ）のＩ−Ｉ方向に見た断面図である。
【図８】図８（Ａ）は、実施例４のアタッチメントの斜視図であり、図８（Ｂ）は、本例のアタッチメントの正面図であり、図８（Ｃ）は、図８（Ａ）のＩ−Ｉ方向に見た断面図であり、図８（Ｄ）は、本例のアタッチメントの上面図である。
【図９】図９（Ａ）は、実施例４において、アタッチメントを容器本体１００に挿入した状態の正面図であり、図９（Ｂ）は、図８（Ａ）のＩ−Ｉ方向に見た断面図である。
【図１０】図１０（Ａ）は、実施例５のアタッチメントの斜視図であり、図１０（Ｂ）は、図１０（Ａ）のＩ−Ｉ方向に見た断面図である。
【図１１】図１１は、図１０（Ａ）のＩ−Ｉ方向に見た断面図である。
【図１２】図１２（Ａ）は、本発明の実施例６の分離容器の構成を示す断面図であり、図１２（Ｂ）および（Ｃ）は、実施例６の分離容器を用いた試料からの精子の分離方法の例を示す断面図である。
【図１３】図１３（Ａ）は、実施例６のアタッチメントの斜視図であり、図１３（Ｂ）は、本例のアタッチメントの正面図であり、図１３（Ｃ）は、図１３（Ａ）のＩ−Ｉ方向に見た断面図であり、図１３（Ｄ）は、本例のアタッチメントの上面図である。
【図１４】図１４（Ａ）は、実施例６において、アタッチメントを容器本体１００に挿入した状態の正面図であり、図１４（Ｂ）は、図１３（Ａ）のＩ−Ｉ方向に見た断面図である。
【図１５】図１５（Ａ）および（Ｂ）は、実施例６において、別の構成のアタッチメントを示す斜視図である。
【図１６】図１６（Ａ）および（Ｂ）は、実施例６において、さらに別の構成のアタッチメントを示す斜視図である。
【図１７】図１７（Ａ）は、本発明の実施例８のアタッチメントの構成を示す断面図であり、図１７（Ｂ）、（Ｃ）および（Ｄ）は、本例の分離容器を用いた試料からの精子の分離方法の例を示す断面図である。
【図１８】図１８（Ａ）は、本発明の実施例９の分離容器の構成を分離して示す斜視図であり、図１８（Ｂ）は、図１８（Ａ）のＩ−Ｉ方向から見た断面図である。
【図１９】図１９は、実施例９の分離容器を用いた試料からの精子の分離方法の例を示す断面図である。
【図２０】図２０は、本発明の実施例９のその他の分離容器を用いた試料からの精子の分離方法の例を示す断面図である。
【符号の説明】
【０１４０】
１、１ａ、２  分離容器
１１、１００、２００  容器本体
１２、１２ａ、１２ｂ  隔壁
１３、２２３ｃ、２２３ｄ  貫通孔
１４  試料導入室
１５  分離対象物導出室
１６  パーコールまたは培養液
１７  試料
１７ａ  精子
１８  採取管
２１、２２、２３、２４、２５  アタッチメント
５１、１２６  内容器
５２  スポイトゴム（陽圧発生手段）
１０１、２００  有底円筒状容器
１０２、１０３  キャップ
１２１  板状固定部材
１２２、１２３、２２２、２２２ａ、２２２ｂ、２２３、２２３ａ、２２３ｂ  円環状固定部材
１２４  半円状外周面
１２５  上部板状固定部材
１２８  下部固定部材
【図１】
0005169730.tif 000002
【図２】
0005169730.tif 000003
【図３】
0005169730.tif 000004
【図４】
0005169730.tif 000005
【図５】
0005169730.tif 000006
【図６】
0005169730.tif 000007
【図７】
0005169730.tif 000008
【図８】
0005169730.tif 000009
【図９】
0005169730.tif 000010
【図１０】
0005169730.tif 000011
【図１１】
0005169730.tif 000012
【図１２】
0005169730.tif 000013
【図１３】
0005169730.tif 000014
【図１４】
0005169730.tif 000015
【図１５】
0005169730.tif 000016
【図１６】
0005169730.tif 000017
【図１７】
0005169730.tif 000018
【図１８】
0005169730.tif 000019
【図１９】
0005169730.tif 000020
【図２０】
0005169730.tif 000021